(57)【要約】  圧迫衣服システムは、身体の体幹及び脚の周りに配置されて、それに圧縮療法を提供するための体幹用衣服及び脚用衣服を含み得る。体幹用衣服及び衣服は、脚及び体幹からリンパ液を移動させるための複数の制御可能な圧力印加領域を含み得る。
2021502496.tif 000002
【特許請求の範囲】
【請求項１】
ユーザの体幹の周りに着用されて、前記体幹と、前記ユーザの両脚の少なくとも一部とに圧迫を加えるべき体幹用衣服であって、前記体幹用衣服は、前記ユーザの前記体幹の一部と前記両脚の少なくとも一部とに圧力を加えるように制御可能な１つ以上の体幹圧力印加領域を含む、前記体幹用衣服と、
前記ユーザの右脚または左脚の周りに着用されて、前記脚に圧迫を加えるべき脚用衣服であって、前記脚用衣服は、前記脚の少なくとも一部に圧力を加えるように制御可能な１つ以上の脚圧力印加領域を含む、前記脚用衣服とを備える、圧迫衣服システム。
【請求項２】
ユーザの体幹の周りに着用されて、前記体幹と、前記ユーザの両脚の少なくとも一部とに圧迫を加えるべき体幹用衣服であって、前記体幹用衣服は、前記ユーザの前記体幹の一部と前記両脚の少なくとも一部とに圧力を加えるように制御可能な１つ以上の体幹圧力印加領域を含み、前記１つ以上の体幹圧力印加領域は、前記１つ以上の体幹圧力印加領域のそれぞれが、実質的に前記ユーザの脊椎に沿って延在する軸に垂直な平面内に実質的に位置するように、前記ユーザの前記体幹の周りに同心円状に配置される、前記体幹用衣服を備える、圧迫衣服システム。
【請求項３】
前記体幹用衣服が、
前記ユーザの右脚の大腿骨領域の少なくとも一部を受け入れるための右上脚開口部と、
前記ユーザの左脚の大腿骨領域の少なくとも一部を受け入れるための左上脚開口部を画定し、前記体幹用衣服は、前記ユーザの右脚及び左脚の両方の大腿骨領域の少なくとも一部に圧迫を加える、請求項１〜２のいずれか１項に記載のシステム。
【請求項４】
前記体幹用衣服は、前記ユーザの下腹部領域に近接して配置可能な少なくとも上端領域から、前記ユーザの右脚及び左脚の両方の大腿骨領域に近接して配置可能な少なくとも下端領域まで延在する、請求項１〜３のいずれか１項に記載のシステム。
【請求項５】
前記体幹用衣服はさらに、流体を前記１つ以上の体幹圧力印加領域に伝達するために、前記１つ以上の体幹圧力印加領域に動作可能に結合された管材料を備え、前記管材料は、前記上端領域と前記下端領域との間の前記体幹用衣服から延在する、請求項４に記載のシステム。
【請求項６】
前記１つ以上の体幹圧力印加領域と前記管材料との間の前記動作可能な結合から張力を逃がすために、前記体幹用衣服に取り外し可能に結合され、前記管材料に取り外し可能に結合される張力逃がし部分をさらに備える、請求項５に記載のシステム。
【請求項７】
前記体幹用衣服はさらに、前記体幹用衣服の着用を支援するために、前記体幹用衣服を着用する際に前記ユーザによって把持される、前記上端領域に近接した１つ以上のループ部分を備える、請求項４〜６のいずれか１項に記載のシステム。
【請求項８】
前記１つ以上の体幹圧力印加領域は、前記１つ以上の体幹圧力印加領域のそれぞれが、実質的に前記ユーザの前記脊椎に沿って延在する軸に垂直な平面内に実質的に位置するように、前記ユーザの前記体幹の周りに同心円状に配置される、請求項３〜７のいずれか１項に記載のシステム。
【請求項９】
前記体幹用衣服は、第１の前部領域から第２の前部領域まで延在しており、前記ユーザの体幹に巻き付けられるように構成された巻き付け部分を備え、前記ユーザの前記体幹の周りに前記体幹用衣服を着用させるために、前記第２の前部領域は、体幹取り付け領域で前記第１の前部領域に取り外し可能に結合可能である、請求項１〜８のいずれか１項に記載のシステム。
【請求項１０】
前記巻き付け部分は、前記ユーザの手を受け入れて、前記巻き付け部分を前記ユーザの前記体幹の周りに移動させるために、第２の前端領域に近接する手袋開口部を画定する、請求項９に記載のシステム。
【請求項１１】
前記脚用衣服は、上端領域から下端領域まで延在しており、前記上端領域は、前記脚用衣服が着用される際に、少なくとも前記ユーザの前記脚の大腿骨領域に近接して配置され、前記下端領域は、前記脚用衣服が着用される際に、前記ユーザの前記脚の下腿領域、足根領域、ペダル領域、及び指／指骨領域のうちの１つ以上に近接して配置され、
前記システムは、流体を前記１つ以上の脚圧力印加領域に伝達するために、前記１つ以上の脚圧力印加領域に動作可能に結合された管材料をさらに含み、前記管材料は、前記上端領域と前記下端領域との間で前記脚用衣服に結合され、前記脚用衣服から延在する、請求項１〜１０のいずれか１項に記載のシステム。
【請求項１２】
前記ユーザの右脚または左脚の周りに着用されて、前記脚に圧迫を加えるべき脚用衣服であって、前記脚用衣服は、前記脚の少なくとも一部に圧力を加えるように制御可能な１つ以上の脚圧力印加領域を含み、前記脚用衣服は、上端領域から下端領域まで延在しており、前記上端領域は、前記脚用衣服が着用される際に、少なくとも前記ユーザの前記脚の大腿骨領域に近接して配置され、前記下端領域は、前記脚用衣服が着用される際に、前記ユーザの前記脚の下腿領域、足根領域、ペダル領域、及び指／指骨領域のうちの１つ以上に近接して配置される、前記脚用衣服と、
流体を前記１つ以上の脚圧力印加領域に伝達するために、前記１つ以上の脚圧力印加領域に動作可能に結合された管材料であって、前記管材料は、前記上端領域と前記下端領域との間で前記脚用衣服に結合され、前記脚用衣服から延在する、前記管材料とを備える、圧迫衣服システム。
【請求項１３】
前記１つ以上の脚圧力印加領域と前記管材料との間の前記動作可能な結合から張力を逃がすために、前記脚用衣服に取り外し可能に結合され、前記管材料に取り外し可能に結合される張力逃がし部分をさらに備える、請求項１１〜１２のいずれか１項に記載のシステム。
【請求項１４】
前記脚用衣服は、前記脚用衣服の着用を支援するために、前記脚用衣服を着用する際に前記ユーザによって把持される、前記脚用衣服の前記上端領域に近接した１つ以上のループ部分を備える、請求項１１〜１３のいずれか１項に記載のシステム。
【請求項１５】
前記脚用衣服は、
前記ユーザの前記脚の周りに前記脚用衣服を着用させるために、前記脚用衣服の脚取り付け部位に取り外し可能に結合可能な、前記ユーザの脚の少なくとも一部にわたって延在する複数の脚ストラップ部分と、
前記脚用衣服を着用する際に前記ユーザによって把持される、少なくとも１つの前記脚ストラップ部分に結合された、少なくとも１つのループ部分とを備える、請求項１、及び請求項３〜１４のいずれか１項に記載のシステム。
【請求項１６】
前記脚用衣服は、
複数の脚ストラップ部分であって、前記ユーザの前記脚の周りに前記脚用衣服を着用させるために、前記複数の脚ストラップ部分のそれぞれは、前記ユーザの脚の少なくとも一部にわたって延在し、前記脚用衣服の脚取り付け部位に取り外し可能に結合可能である、前記複数の脚ストラップ部分と、
複数の犠牲取り付け部分であって、前記複数の犠牲取り付け部分のそれぞれは、前記複数の脚ストラップ部分の個別の脚ストラップ部分に対応し、前記犠牲取り付け部分は、前記脚取り付け部位で前記脚用衣服に取り外し可能に結合されており、前記複数の脚ストラップ部分のそれぞれは、対応する前記犠牲取り付け部分に取り外し可能に結合可能であり、前記複数の犠牲取り付け部分と前記脚用衣服との間の取り外し可能な結合は、前記複数の犠牲取り付け部分と前記複数の脚ストラップ部分との間の取り外し可能な結合よりも強い、前記複数の犠牲取り付け部分とを備える、請求項１、及び請求項３〜１５のいずれか１項に記載のシステム。
【請求項１７】
前記脚用衣服はさらに、
前記ユーザの前記脚の下腿領域の周りに着用されて、前記下腿領域に圧迫を加えるべきふくらはぎ衣服部分であって、前記ふくらはぎ衣服部分の前記脚圧力印加領域は、前記ユーザの前記脚の前記下腿領域の一部に圧力を加えるように制御可能である、前記ふくらはぎ衣服部分と、
前記ユーザの前記脚のペダル領域の周りに着用されて、前記ペダル領域に圧迫を加えるべき足用衣服部分であって、前記足用衣服部分の前記脚圧力印加領域は、前記ユーザの前記脚の前記ペダル領域の一部に圧力を加えるように制御可能である、前記足用衣服部分と、
前記ユーザの前記脚の踵を受け入れるために、前記ふくらはぎ衣服部分を前記足用衣服部分に結合する踵要素とを備える、請求項１、及び請求項３〜１６のいずれか１項に記載のシステム。
【請求項１８】
前記踵要素は、前記ユーザの前記脚の前記踵を受け入れるために、前記ユーザの前記脚の前記足根領域の湾曲に追従する湾曲を画定し、前記脚用衣服が着用される際に、前記患者の前記脚の前記下腿領域から前記ペダル領域にかけて前記脚用衣服の湾曲を提供する、請求項１７に記載のシステム。
【請求項１９】
前記脚用衣服は、前記ユーザの脚から前記脚用衣服を取り外すのを支援するために、前記ユーザの他方の脚の足の一部を受け入れるストラップ要素を備え、前記ストラップ要素は、前記上端領域よりも前記下端領域の近くに配置される、請求項１１〜１８のいずれか１項に記載のシステム。
【請求項２０】
前記システムはさらに、前記１つ以上の体幹圧力印加領域と前記１つ以上の脚圧力印加領域との少なくとも１つによって加えられる圧力を制御して、前記体幹及び前記脚の少なくとも１つからリンパ液を移動させるコントローラを備える、請求項１〜１９のいずれか１項に記載のシステム。
【発明の詳細な説明】
【技術分野】
【０００１】
関連出願の相互参照
本出願は、２０１７年１１月６日に出願された「Ｔｒｕｎｋ  ａｎｄ  Ｌｅｇ  Ｃｏｍｐｒｅｓｓｉｏｎ  Ｇａｒｍｅｎｔ  Ｓｙｓｔｅｍｓ」と題する米国仮出願第６２／５８２，１２１号の利益を主張するものであり、この米国仮出願は、その全体が本明細書に援用される。
【０００２】
本開示の分野
本開示は、一般に体幹及び脚用の圧迫衣服などの圧迫衣服システム、ならびにそのような衣服及びシステムを用いて、身体の一部以上の体幹部及び脚部を加圧する方法に関する。
【背景技術】
【０００３】
例えば、リンパ浮腫、浮腫の治療、創傷治癒などには、各種の圧迫衣服が有効である。例えば、患者に圧迫療法を提供できるように、衣服が膨張式のチャンバまたはセル（または他の作動可能要素）を含む場合があり、この衣服が、ヒトまたは動物の任意の身体部分の周りに配置され得る。特に、リンパ液及び／またはその他の体液の蓄積が原因で腫脹を示し、この衣服によって提供される圧迫療法の恩恵を受けるだろう身体部分の周りに、この衣服は配置され得る。例えば、そのようなチャンバまたはセルは、ある身体領域から別の身体領域へリンパ液を移動させることによって患者にその療法を提供するように、様々な順序で１つ以上の種々の圧力に膨張させることが可能なものであり得る。つまり、そのような圧迫衣服は、１つ以上の身体領域（例えば、罹患肢など）で身体に圧力をかけるのに使用するために、個人の身体の少なくとも一部の周りに取り付けられ得る。これらの圧迫衣服は、患者自身が、または患者が他者の助けを借りて、着用（例えば、着る）及び脱衣（例えば、脱ぐ、または取り外す）を行い得るものである。
【発明の概要】
【０００４】
例示的な圧迫システムは、例えば、ユーザの身体に圧迫療法を提供するために、別々にまたは互いに組み合わせて使用され得る、体幹用衣服及び脚用衣服を含み得る。体幹及び脚用衣服のそれぞれは、ユーザの身体の対応する領域に圧迫療法を適用するために、複数の圧力印加領域を含んでもよい。圧力印加領域は、ユーザの身体に圧迫療法を提供するために、流体を受け入れて膨張しまたは収縮して、チャンバの大きさを拡張させまたは収縮させるように構成されたチャンバを画定し得る。
【０００５】
体幹用衣服は、ユーザの体幹の少なくとも一部と、例えば、ユーザの大腿部に近接して配置されるユーザの両脚の少なくとも上部領域とに圧迫療法を提供するために、ユーザの体幹の周りに配置されるように構成されてもよく、配置可能であり得る。言い換えれば、例示的な体幹用衣服は、両側の大腿部を覆うことができ、これにより、両方の脚を同時に治療することを可能にし得る。少なくとも１つの実施形態では、体幹用衣服は、ユーザのウエストに近接するかまたはその近くの位置から、ユーザの大腿部の上部に近接する大腿部領域または大腿部位置まで延在する。体幹用衣服は３つの部分を含み得る。第１の部分は、巻き付け部分と呼ばれる場合があり、これはユーザの身体のウエスト領域の周りに着用され得、第２の部分及び第３の部分は、それぞれユーザの左足及び右足の周りに着用され得る。体幹用衣服は、ユーザによって把持されて、体幹用衣服を着用し、ユーザの身体から体幹用衣服を取り外すように構成される体幹用衣服の様々な領域または部分から延在する１つ以上のループ部分（例えば、ストラップ、ウェビングなど）を含んでもよい。例えば、ループ部分は、着用時にユーザのウエストに近接して配置されるように構成された体幹用衣服の領域、及び／または着用時にユーザの大腿部に近接して配置されるように構成された体幹用衣服の領域に結合され、そこから延在していてもよい。換言すれば、例示的な体幹用衣服は、患者が掴んで衣服を引っ張ることを可能にするウエスト周りのウェビングベルトと、患者が衣服を着用し、衣服を脱ぐ際に、患者を支援するための他の部分の周りの他のループ、ウェビング、またはストラップとを含み得る。
【０００６】
管材料を体幹用衣服に結合して、例えば空気などの流体を体幹用衣服の１つ以上の圧力印加領域に提供しまたは輸送することができる。管材料は、（例えば、上端領域または下端領域から延在するのではなく）体幹用衣服の上端領域と下端領域との間の体幹用衣服の領域から延在してもよい。換言すれば、管材料は、衣服の上端または下端とは見なされない体幹用衣服の中間領域から延在してもよい。さらに、管材料は、体幹用衣服の側部領域または側部部位から延在するものと特徴付けし得る。換言すると、例示的な体幹用衣服は、衣服の側面に存在する管材料を含み得、これにより、上肢衣または下肢衣のいずれかとの管の干渉を低減し得る。さらに、本明細書で説明する例示的な衣服は、衣服の一部であるか、衣服の周りを走る管材料から張力を逃がすように構成され、圧力印加領域に動作可能に結合される張力逃がし部分を含み得る。張力逃がし部分は、圧迫衣服の残りの部分の外面に取り付けられてもよく、圧迫衣服から離れて延在する管材料の束に取り外し可能に取り付けられてもよい。例えば、管材料の反対側の端をポンプコントローラに取り付けたユーザが管材料を引っ張ると、管材料に加えられる力は、衣服の圧力印加領域に延びる管材料の残りの部分ではなく、張力逃がし部分に向けられることになる。より詳細には、管材料は、近位端の圧力印加領域のそれぞれと、遠位端のポンプコントローラに結合可能なコネクタとに結合されてもよい。遠位端が引っ張られると、張力逃がし部分は、そのような力から管材料の近位端を解放させることができる。代わりに、管材料の遠位端を引っ張ることによる力は、張力逃がし部分を介して衣服の外面に移されてもよい。
【０００７】
脚用衣服は、ユーザの左脚または右脚のいずれかに装着することができ、ユーザの上脚または大腿部領域からユーザの脚の別の下部、例えば、ふくらはぎ、足首、足などまで延在してもよい。脚用衣服は、ユーザによって使われて、脚用衣服を着用し、ユーザの身体から脚用衣服を取り外すように構成される脚用衣服の様々な領域または部分から延在する１つ以上のループ部分（例えば、ストラップ、ウェビングなど）を含んでもよい。例えば、ループ部分は、脚用衣服が着用されたときにユーザの踵または足首に近接して、またはその近くに配置されるように構成された脚用衣服の領域に近接して配置されてもよい。このループ部分は、ユーザが、脚用衣服から脚を引き抜いている間に脚の位置を維持するために、例えば、ユーザの反対の脚の一部（例えば、踵、つま先など）をループ部分に配置することによって、ユーザの脚から脚用衣服を除去するために、及び／または脚用衣服が着用されている脚から脚用衣服を押し出すために使用されてもよい。このループ部分は、「ストンプ」ストラップと呼ばれる場合がある。換言すれば、衣服の踵の後部のウェビングは、治療後に衣服から第２の足を引き出すのを助けるために、患者の第１の足を配置する構造を与えるか、または提供することができる。
【０００８】
さらに、例えば、１つ以上のループ部分は、ユーザが脚用衣服をその脚の上に「引き寄せる」ことを可能にするために、ユーザの脚用衣服の上脚領域または大腿部領域に近い領域に近接して配置され、及び／または、脚用衣服の上脚領域または大腿部領域から延在することができる。さらにまた、例えば、１つ以上のループ部分は、ユーザの脚の一部を包み込むように、またはその周りに巻き付けるように構成された１つ以上の脚ストラップに結合されて、ユーザの脚の周りの脚用衣服の大きさを調整することができ、そのようなループ部分は、そのような脚ストラップを調節するためにユーザによって把持されてもよい。換言すると、調節タブまたはストラップ上のウェビングループは脚用衣服に結合されてもよく、例えば、使用者が衣服を掴んで調節するのが容易である。さらに、１つ以上の実施形態では、調節タブまたはストラップは、患者のための訓練補助として、例えば、色、英数字インジケータなどを使用して識別されてもよい。脚ストラップは、フックアンドループ式ファスナを介して脚用衣服に結合されてもよい。１つ以上の実施形態では、脚用衣服は、脚ストラップよりも積極的に脚用衣服に取り外し可能に取り付けまたは結合する交換可能な犠牲的なフックアンドループパッドをさらに含んでもよい。したがって、脚ストラップは、取替え可能な犠牲フックアンドループパッドに取り外し可能に取り付けられ、または結合されてもよく、これは、脚用衣服に取り外し可能に取り付けられ、または結合される。脚ストラップが取り外されて、脚用衣服の外面ではなく、犠牲フックアンドループパッドに再度取り付けられるので、そのような取り外し及び再取り付けは、例えば、脚用衣服の外面の摩耗を低減することができる。
【０００９】
脚用衣服は、ユーザの脚の踵を受けるように構成されたふくらはぎ部分と足部分との間に延在する踵要素をさらに含み得る。足部分は、ユーザの足に「ぴったりとフィット」して包み込み、ユーの足に圧迫療法を提供することが記載されていてもよい。踵要素は、ふくらはぎの湾曲部の周りの脚用衣服を、足根領域の周りの脚の足にフィットさせることができるような形状及び大きさにしてもよい。したがって、例示的な脚用衣服は、脚用衣服の足及び足首部分の周りの裂け目から、ユーザの足をスリップさせることができる軸に沿って延在する直線状の管のような形状であった従来の脚用衣服とは異なり、足の人間工学を改善するものとして説明され得る。例示的な脚用衣服は、そのような裂け目をなくし、ユーザが脚用衣服の足の向きを決めるのを助ける決定的なヒールカップをユーザに提供するものとして説明することができる。
【００１０】
例示的なシステムは、衣服の複数の圧力印加領域を制御して、ユーザの身体の複数の部分または領域に圧力を加えるためのコントローラをさらに含み得る。コントローラは、少なくとも準備段階及び排出段階で、複数の圧力印加領域によって印加される圧力を制御するために、衣服に動作可能に結合されてもよい。準備段階にあるとき、コントローラは、体幹及び脚の複数の部分に圧力を加えて、体幹及び／または脚からリンパ液が排出されるように身体を準備する構成となっていてもよい。排出段階では、コントローラは、複数の圧力印加領域を使用して体幹及び／または脚の複数の部分に圧力を印加して、少なくとも脚及び／または体幹の１つ以上の上部領域に向けてリンパ液を移動させるように構成されてもよい。
【００１１】
１つの例示的な圧迫衣服システムは、体幹用衣服及び少なくとも１つの脚用衣服を含み得る、または備え得る。体幹用衣服は、ユーザの体幹と、ユーザの両脚の少なくとも一部とに圧縮を加えるために、ユーザの体幹周りに着用されてもよい。体幹用衣服は、ユーザの体幹の一部及び両脚の少なくとも一部に圧力を加えるように制御可能な１つ以上の体幹圧力印加領域を含み得る、または備え得る。脚用衣服は、脚に圧迫を加えるために、ユーザの右脚または左脚の周りに着用されてもよい。脚用衣服は、脚の少なくとも一部に圧力を加えるように制御可能な１つ以上の脚圧力印加領域を含み得る、または備え得る。
【００１２】
別の例示的な圧迫衣服システムは、ユーザの体幹と、ユーザの両脚の少なくとも一部とに圧迫を加えるために、ユーザの体幹の周りに着用される体幹用衣服を含み得るか、または備え得る。体幹用衣服は、ユーザの体幹の一部及び両脚の少なくとも一部に圧力を加えるように制御可能な１つ以上の体幹圧力印加領域を含み得る、または備え得る。１つ以上の体幹圧力印加領域は、１つ以上の体幹圧力印加領域のそれぞれが、実質的にユーザの脊椎に沿って延在する軸に垂直な平面内に実質的に位置するように、ユーザの体幹の周りに同心円状に配置され得る。
【００１３】
１つ以上の実施形態では、体幹用衣服は、ユーザの右脚の大腿骨領域の少なくとも一部を受け入れる右上脚開口部と、ユーザの左脚の大腿骨領域の少なくとも一部を受け入れる左上脚開口部とを画定し得る。体幹用衣服は、ユーザの左右両脚の大腿骨領域の少なくとも一部に圧迫を加えることができる。
【００１４】
１つ以上の実施形態では、体幹用衣服は、ユーザの下腹部領域に近接して配置可能な少なくとも上端領域から、ユーザの右脚及び左脚の両方の大腿骨領域に近接して配置可能な少なくとも下端領域まで延在し得る。さらに、体幹用衣服はさらに、流体を１つ以上の体幹圧力印加領域に伝達するために、１つ以上の体幹圧力印加領域に動作可能に結合された管材料を含み得、または備え得、管材料は、上端領域と下端領域との間の体幹用衣服から延在する。さらにまた、本システムは、１つ以上の体幹圧力印加領域と管材料との間の動作可能な結合から張力を逃がすために、体幹用衣服に取り外し可能に結合され、管材料に取り外し可能に結合される張力逃がし部分をさらに含んでもよく、または備えてもよい。
【００１５】
１つ以上の実施形態では、体幹用衣服はさらに、体幹用衣服の着用を支援するために、体幹用衣服を着用する際にユーザによって把持される、上端領域に近接した１つ以上のループ部分を含んでもよく、または備えてもよい。さらに、１つ以上の実施形態では、１つ以上の体幹圧力印加領域は、１つ以上の体幹圧力印加領域のそれぞれが、実質的にユーザの脊椎に沿って延在する軸に垂直な平面内に実質的に位置するように、ユーザの体幹の周りに同心円状に配置され得る。
【００１６】
１つ以上の実施形態では、体幹用衣服は、第１の前端領域から第２の前端領域まで延在し、ユーザの体幹に巻き付けられるように構成される巻き付け部分をさらに含んでもよく、または備えてもよい。第２の前部領域は、体幹用衣服をユーザの体幹に着用するように、体幹取り付け領域で第１の前部領域に取り外し可能に結合可能であってもよい。さらに、ユーザの手を受け入れて、巻き付け部分をユーザの体幹の周りに移動させるために、巻き付け部分は、第２の前端領域に近接する手袋開口部を画定してもよい。さらにまた、体幹用衣服は、第１の前部領域及び第２の前部領域に取り外し可能に結合された犠牲取り付け部分をさらに含み得るか、または備え得る。犠牲取り付け部分と第１の前部領域との間の取り外し可能な結合は、犠牲取り付け部分と第２の前部領域との間の取り外し可能な結合よりも強くてよい。
【００１７】
１つ以上の実施形態では、体幹用衣服は、ユーザの大腿部の前側を端から端まで延在する、ユーザの脚のそれぞれのための複数の大腿部ストラップ部分を含むか、または備えてもよく、さらに、体幹用衣服の大腿部取り付け領域に取り外し可能に結合可能であり、体幹用衣服をユーザの大腿部の周りに着用させてもよい。また、複数の大腿部ストラップ部分は、少なくとも２つの大腿部ストラップ部分の間に裂け目を画定してもよい。
【００１８】
１つ以上の実施形態では、脚用衣服は、上端領域から下端領域まで延在してもよい。脚用衣服は、上端領域から下端領域まで延在しており、上端領域は、脚用衣服が着用される際に、少なくともユーザの脚の大腿骨領域に近接して配置され、または位置してもよく、下端領域は、脚用衣服が着用される際に、ユーザの脚の下腿領域、足根領域、ペダル領域、及び指／指骨領域のうちの１つ以上に近接して配置され、または位置してもよい。追加的に、本システムは、流体を１つ以上の脚圧力印加領域に伝達するために、１つ以上の脚圧力印加領域に動作可能に結合された管材料をさらに含み、または備えてもよく、管材料は、上端領域と下端領域との間で脚用衣服に結合され、脚用衣服から延在してもよい。
【００１９】
別の例示的な圧迫衣服システムは、少なくとも１つの脚用衣服及び管材料を含むか、または備えてもよい。脚用衣服は、脚に圧迫を加えるためにユーザの右脚または左脚の周りに着用されてもよく、少なくとも脚の一部に圧力を加えるように制御可能な１つ以上の脚圧力印加領域を含み、または備えてもよい。脚用衣服は、上端領域から下端領域まで延在してもよい。脚用衣服は、上端領域から下端領域まで延在しており、上端領域は、脚用衣服が着用される際に、少なくともユーザの脚の大腿骨領域に近接して配置され、または位置してもよく、下端領域は、脚用衣服が着用される際に、ユーザの脚の下腿領域、足根領域、ペダル領域、及び指／指骨領域のうちの１つ以上に近接して配置され、または位置してもよい。管材料は、流体を１つ以上の脚圧力印加領域に伝達するために、１つ以上の脚圧力印加領域に動作可能に結合されてもよく、管材料は、上端領域と下端領域との間で脚用衣服に結合されてもよく、脚用衣服から延在してもよい。
【００２０】
１つ以上の実施形態では、本システムは、１つ以上の脚圧力印加領域と管材料との間の動作可能な結合から張力を逃がすために、脚用衣服に取り外し可能に結合され、管材料に取り外し可能に結合される張力逃がし部分をさらに含んでもよく、または備えてもよい。さらに、１つ以上の実施形態では、脚用衣服は、脚用衣服の着用を支援するために、脚用衣服を着用する際にユーザによって把持される、脚用衣服の上端領域に近接した１つ以上のループ部分を含んでもよい。
【００２１】
１つ以上の実施形態では、脚用衣服は、ユーザの脚の周りに脚用衣服を着用させるために、脚用衣服の脚取り付け部位に取り外し可能に結合可能な、ユーザの脚の少なくとも一部にわたって延在する複数の脚ストラップ部分と、脚用衣服を着用する際に、ユーザによって把持される少なくとも１つの脚ストラップ部分に結合された少なくとも１つのループ部分とを含み、または備え得る。さらに、少なくとも１つのループ部分は、複数のループ部分を含むか、または備えてもよく、複数のループ部分のそれぞれは、各ループ部分を互いに区別するための識別子を含むか、または備えてもよい。
【００２２】
１つ以上の実施形態では、脚用衣服は、複数の脚ストラップ部分を含むか、または備えてもよく、ユーザの脚の周りに脚用衣服を着用させるために、複数の脚ストラップ部分のそれぞれが、ユーザの脚の少なくとも一部にわたって延在してもよく、脚用衣服の脚取り付け部位に取り外し可能に結合可能であってもよい。さらに、脚用衣服は、複数の犠牲取り付け部分を含むか、または備えてもよく、複数の犠牲取り付け部分のそれぞれは、複数の脚ストラップ部分の異なる脚ストラップ部分に対応することができ、脚取り付け部位で脚用衣服に取り外し可能に結合してもよい。複数の脚ストラップ部分のそれぞれは、対応する犠牲取り付け部分に取り外し可能に結合可能であり得る。複数の犠牲取り付け部分と脚用衣服との間の取り外し可能な結合は、複数の犠牲取り付け部分と複数の脚ストラップ部分との間の取り外し可能な結合よりも強くてもよい。
【００２３】
１つ以上の実施形態では、脚用衣服は、ふくらはぎ衣服部分、足用衣類部分、及び踵要素をさらに含むか、または備えてもよい。ふくらはぎ衣服部分は、ユーザの脚の下腿領域の周りに着用されて、下腿領域に圧迫を加えることができ、ふくらはぎ衣服部分の脚圧力印加領域は、ユーザの脚の下腿領域の一部に圧力を加えるように制御可能であってもよい。足用衣服部分は、ユーザの脚のペダル領域の周りに着用されて、ペダル領域に圧迫を加えることができ、足用衣服部分の脚圧力印加領域は、ユーザの脚のペダル領域の一部に圧力を加えるように制御可能であってもよい。ふくらはぎ衣服部分を足用衣服部分に結合する踵要素は、ユーザの脚の踵を受け入れるように構成されてもよい。さらに、少なくとも１つの実施形態では、踵要素は、ユーザの脚の踵を受け入れるために、ユーザの脚の足根領域の湾曲に追従する湾曲を画定し、脚用衣服が着用される際に、患者の脚の下腿領域からペダル領域にかけて脚用衣服の湾曲を提供し得る。
【００２４】
１つ以上の実施形態では、脚用衣服は、ユーザの脚から脚用衣服を取り外すのを支援するために、ユーザの他方の脚の足の一部を受け入れるストラップ要素を含むか、または備えてもよい。ストラップ要素は、上端領域よりも下端領域の近くに配置され、または位置し得る。
【００２５】
１つ以上の実施形態では、本システムはさらに、１つ以上の体幹圧力印加領域と１つ以上の脚圧力印加領域との少なくとも１つによって加えられる圧力を制御して、体幹及び脚の少なくとも１つからリンパ液を移動させるコントローラを含み、または備え得る。
【００２６】
上記の概要は、本開示の各実施形態またはあらゆる実施を説明することを意図していない。添付の図面と併せて以下の詳細な説明及び特許請求の範囲を参照することによって、より完全な理解が明らかになり、理解されるであろう。
【図面の簡単な説明】
【００２７】
【図１】身体の上に配置された体幹用衣服及び脚用衣服を含む例示的な圧迫システムの正面斜視図である。
【図２】図１のシステムの右側斜視図である。
【図３】図１のシステムの後面斜視図である。
【図４】図１のシステムの左側斜視図である。
【図５】図１のシステムの底面斜視図である。
【図６】着用前の開放形態の状態にある図１のシステムの体幹用衣服の斜視図である。
【図７Ａ】身体に部分的に着用され、取り付け領域に取り付けられた犠牲取り付け部分を含む、図６の体幹用衣服の正面斜視図である。
【図７Ｂ】身体に部分的に着用され、取り付け領域に取り付けられていない犠牲取り付け部分を含む、図６の体幹用衣服の正面斜視図である
【図８】身体に完全に着用された図６の体幹用衣服の正面斜視図である。
【図９】図８の体幹用衣服の左側斜視図である。
【図１０】図１のシステムの脚用衣服の右側斜視図である。
【図１１】図１０の脚用衣服の上面斜視図である。
【図１２】足用衣服部分をほどいた状態での図１０の脚用衣服の正面図、斜視図である。
【図１３】足用衣服部分をほどいた状態での図１０の脚用衣服の背面図、斜視図である。
【図１４】足用衣服部分をほどいた状態での図１０の脚用衣服の更なる背面斜視図である。
【図１５】図１０の脚用衣服の一部の左側斜視図である。
【図１６】犠牲取り付け部分を含む例示的な脚用衣服の一部の斜視図である。
【図１７】別の例示的な脚用衣服の平面図である。
【図１８Ａ】図１〜図１７に示すような例示的な衣服の１つと共に使用され得る例示的な圧迫衣服の１つ以上のチャンバまたはセル（例えば、膨張式のチャンバまたはセル）の断面図である。
【図１８Ｂ】図１〜図１７に示すような例示的な衣服の１つと共に使用され得る例示的な圧迫衣服の作動可能要素（例えば、膨張式のチャンバまたはセルを持たない）を含む１つ以上のセルの断面図である。
【発明を実施するための形態】
【００２８】
例示のための実施形態である以下の詳細な説明では、本明細書の一部を構成し、実施可能な特定の実施形態を実例として示す添付の図面を参照する。本明細書によって提示される本開示の範囲から逸脱することなく（例えば、その範囲に引き続き含まれて）、他の実施形態を利用することができ、構造上の変更を加え得ることを理解されたい。
【００２９】
図１〜図１８を参照して、例示的な装置、システム、構造、及び方法を説明する。１つの実施形態の要素を、もう１つの実施形態の要素と組み合わせて用い得ること、ならびに本明細書で述べる特徴の組み合わせを用いる装置、システム、構造、及び方法の考えられる実施形態が、図示される、及び／または本明細書に記載される特定の実施形態に限定されないことは、当業者には明らかであろう。その上、本明細書に記載される実施形態は、必ずしも縮尺通りに示されていない多くの要素を含み得ることを認識されるであろう。さらにまた、本明細書の様々な要素の大きさ及び形状を修正してもよく、引き続き本開示の範囲内に入るが、ある特定の１つ以上の形状及び／または大きさ、または要素の種類が、他のものよりも有利な場合があることを認識されるであろう。
【００３０】
本開示は、一般に身体（例えば、ヒト、動物など）の少なくとも一部に着用されるように構成され、身体のその部分に圧力をかけるように構成された衣服部分を含む圧迫衣服、身体の少なくとも一部にかけられる圧力を制御するための圧迫衣服及び圧迫装置を含む圧迫衣服システム、ならびに、そのような圧迫衣服及び圧迫衣服システムを使用する方法（例えば、衣服を着用する方法、身体にかけられる圧力を制御する方法など）に関する。
【００３１】
圧迫衣服システム（例えば、「Ｌｙｍｐｈｅｄｅｍａ  ｔｒｅａｔｍｅｎｔ  ｓｙｓｔｅｍ」と題する米国特許第６，１７９，７９６号、「Ｌｙｍｐｈｅｄｅｍａ  ｔｒｅａｔｍｅｎｔ  ｓｙｓｔｅｍ」と題する米国特許第６，６４５，１６５号、「Ｌｙｍｐｈｅｄｅｍａ  Ｔｒｅａｔｍｅｎｔ  Ｓｙｓｔｅｍ」」と題する米国特許第６，８６０，８６２号、及び「Ｌｙｍｐｈｅｄｅｍａ  Ｔｒｅａｔｍｅｎｔ  Ｓｙｓｔｅｍ」」と題する米国特許第６，９６６，８８４号に記載されている圧迫衣服などであり、これらの米国特許は参照により本明細書に援用され、これらの米国特許は、本明細書に記載されている特徴でもって修正してもよく、修正することができる）は、リンパ浮腫のある人々の治療、治療を必要とする動物、創傷治療などを含む様々な理由で使用される。本明細書で使用するとき、身体という用語は、ヒトだけでなく、本明細書で説明する概念及び特徴から利益を得ることができる他の任意の動物種を指す。これらの圧迫衣服は、個人の身体の少なくとも一部の周りに取り付けられ、罹患肢（例えば、脚、頭、首、腕、胴体、肩など）で体に圧力をかけるのに使用され得る。本明細書で説明されるいくつかの実施形態は、身体の上の少なくとも一部（例えば、体幹、脚、足、腕、胴体、肩、頭、首など）に配置される（例えば、巻き付けられる、隣接して取り付けられる、近接して位置させるなど）ように構成された衣服を有する圧迫システムを含み得る。圧迫衣服は、個人自身が、または個人が他者の助けを借りて、着用（例えば、着る）及び脱衣（例えば、脱ぐ）を行い得るものである。また、この衣服は、圧迫療法を実行するために流体（例えば、空気）を受け入れるように構成された、衣服のうちの分布した（例えば、全体にわたって分布する、長さに沿って中心点または中心軸から「放射状に広がる」同心円パターンに分布するなど）１つ以上のチャンバ（例えば、セル、コンパートメント、密閉ボリューム、ブラダなど）を含み得る。
【００３２】
圧迫衣服システムによって可能になる圧迫療法は、リンパ浮腫の治療に役立ち得る。リンパ浮腫は、遺伝的に受け継がれ得る、がんの治療によってもたらされ得る、寄生虫感染、傷害などによってもたらされ得る、局所的な体液貯留及び組織腫脹の状態である。例えば、脚のリンパ浮腫は、足、足首、ふくらはぎ、膝、大腿部などの周囲に腫脹を生じさせ得る。本明細書に記載されている脚及び体幹を覆う圧迫衣服は、治療効果を与える目的で罹患者によって使用され得る。具体的に言うと、本圧迫衣服は、圧力をかけて、より有益となる位置へ向けてリンパ液を移動させる（例えば、排出部位へ向けて移動させる、病変部位から遠ざけるなど）ことによって、リンパ節またはリンパ管を処置するように構成され得る。例えば、本明細書に記載のシステムを使用する圧迫療法は、例えば、上部胴体の方へ上向きにリンパ液を移動させること、リンパ液を上部胴体から下向きに遠ざけることなどによって、脚及び体幹の領域のリンパ浮腫を治療するのに効果的であるように、脚及び体幹の領域の周りで行い得る。
【００３３】
本明細書に記載される圧迫衣服は、圧迫療法を施すために、病変部位に圧力をかけるように構成され得る。本圧迫衣服は、それぞれが制御可能な圧力印加領域を含む、様々な部分を含み得る。制御可能な各圧力印加領域は、（例えば、治療中の特定の時間に）身体の特定の部分に圧力をかけるように構成されてもよい。制御可能な圧力印加領域は、相互に組み合わさって機能して、所望の方向へ（例えば、足から体幹の方へ、体幹から足の方へ、足からふくらはぎの方へ、足首から大腿の方へなど）リンパ液を移動させる一連の圧力を身体にかけることによって治療を提供するのに効果的であり得る。そのようなリンパ液を移動させる身体への一連の圧力の印加（例えば、圧迫療法期間中の様々な時点で、脚、足、及び体幹の１つ以上の部分に圧力がかけられる）を、身体への動圧の印加と呼ぶことができる。この一連の圧力を、例えば、遠位領域（例えば、足、つま先、足首など）から近位領域（例えば、体幹、胴体など）への圧力勾配と呼ぶことができる。さらに、いくつかの実施形態では、動圧は、順次に印加されず、代わりに、本明細書でさらに説明するように、非連続的に印加されてもよい。
【００３４】
また、本圧迫衣服の制御可能な圧力印加領域は、身体に静圧をも印加し得る。例えば、本圧迫衣服は、治療期間にわたって衣服の一部が身体の上に配置されたとき、定圧をかけることができ（例えば、治療期間にわたっての静圧）、または治療期間中に、時間と共に変化するように制御され得る圧力をかけることができる（例えば、動圧）。１つ以上の実施形態では、圧迫衣服中の１つ以上のチャンバを通じて、身体の一部に動圧をかけることができる。１つ以上のチャンバは、流体を受け入れるように構成され得る。代わりに、または１つ以上の流体受容チャンバと組み合わせて、身体に圧力をかけるように構成された圧迫衣服中の１つ以上の作動可能要素（例えば、圧迫を提供するのに適している電気的に制御された材料）を使用して、そのような圧力をかけることができる。
【００３５】
人体１０の体幹２５及び脚１２、１３の少なくとも一部の周りに配置されるように構成された体幹用圧迫衣服１００と、人体１０の左脚１２の少なくとも一部の周りに配置されるように構成された脚用圧迫衣服２００とを含む例示的な圧迫衣服システム５０を図１〜図５に示す。体幹用衣服１００及び脚用衣服２００は、身体１０に圧迫療法を施すために、一緒に、または別々に使用され得る。図示の実施形態では、体幹用衣服１００と１つの脚用衣服２００とが身体１０に着用されているが、図１〜図５に示されているものは一構成に過ぎず、この体幹及び脚用衣服１００、２００は、他にも多くの構成で使用できることを理解されたい。例えば、２つの脚用衣服２００を、体幹用衣服１００を伴って、または伴わずに、同時に使用してよい。また、例えば、体幹用衣服１００は、それだけで使用してよい。さらにまた、例えば、体幹用衣服１００を伴って、または伴わずに、１つの脚用衣服２００を右脚１２の周りに使用してよい。
【００３６】
体幹用衣服１００及び脚用衣服２００は、それぞれ、身体１０の部分に圧力を加えるように制御可能な、または構成可能な複数の圧力印加領域を画定し得るか、または含み得る。例えば、体幹用衣服１００は、例えば、腹部領域１４、下腹部領域１５、股関節部領域１６、鼠径部領域１７、及び大腿骨領域１８など、胴体または体幹２５の１つ以上の部分または領域に圧力をかけるように制御可能な、または構成可能な体幹圧力印加領域１０１を含み得る。例えば、脚用衣服２００は、例えば、大腿骨領域１８、膝蓋骨領域１９、下腿領域２０、足根領域２１、ペダルまたは足領域２２、及び指／指骨領域２３など、脚１２、１３の１つ以上の部分または領域に圧力を加えるように制御可能な、または構成可能な脚圧力印加領域２０１を含み得る。１つ以上の実施形態では、体幹及び脚用衣服１００、２００は、圧力印加領域を覆う外装材を含んでもよい。
【００３７】
１つ以上の圧力印加領域１０１、２０１は、流体チャンバまたは流体セル、空気圧印加領域、作動可能要素、液圧印加領域などを含み得る。１つ以上の実施形態では、１つ以上の圧力印加領域１０１、２０１は、流体を受け入れるように構成された１つ以上のチャンバを含んでもよく、さらに、システム５０は、その１つ以上のチャンバに供給される流体、例えば、流体の流れ、空気の流れなどの制御を通じてその１つ以上のチャンバを使用して、身体１０の１つ以上の部分または領域に圧力をかけるように構成されたコントローラ５２を含んでもよい。例えば、体幹用衣服１００は、流体が、管材料５４を経由して、体幹用衣服管接続口を通って、１つ以上のチャンバに供給され得る、１つ以上の体幹用衣服管接続口を含んでもよく、脚用衣服部分２００は、流体が、管材料５５を経由して、脚用衣服管接続口を通って、１つ以上のチャンバに供給され得る、１つ以上の脚用衣服管接続口を含んでもよい。
【００３８】
さらに、システム５０は、管材料５５、５４にそれぞれ加えられた張力を逃がすように構成された張力逃がし部分５７、５８を含んでもよい。例えば、管材料５４、５５は、管材料５４、５５が、それぞれ圧力印加領域１０１、２０１に動作可能に結合され得るように、体幹用衣服１００及び脚用衣服２００にそれぞれ取り付けられたか、または結合された近位端から、管材料５４、５５に流体を送り出し、その結果として圧力印加領域１０１、２０１に流体を送り届けるためのコントローラ５２に結合された遠位端まで延在し得る。ユーザは、管材料５４、５５の遠位端を引っ張ることがあり、このことによって、圧力印加領域１０１、２０１への管材料５４、５５の動作可能な結合に不必要な応力が加えられる場合があり、こうした不必要な応力によって、動作可能な結合が緩くなるかまたは破られ、それによって漏れ、損傷などに至るおそれがある。張力逃がし部分５７、５８は、管材料５５、５４に加えられる応力の迂回経路を提供することによって、この問題を軽減し得る。具体的には、張力逃がし部分５７、５８は、衣服２００、１００に結合されており（例えば、取り外せるように結合される、固定した方法で結合される）、また、脚用衣服２００及び体幹用衣服１００に近接した管材料５５、５４のそれぞれにも結合され得る（例えば、取り外せるように結合される、固定した方法で結合される）。このようにして、管材料５４、５５の遠位端が引っ張られ、それによって管材料５４、５５に張力が加わる場合、そのような張力は、張力逃がし部分５８、５７を介して、張力が、低減されるか、または、管材料５４、５５の近位端及び／または管材料５４、５５の圧力印加領域１０１、２０１への動作可能な結合には伝達されないように、体幹及び脚用衣服１００、２００に伝達され、または移される。さらに、少なくとも図示の実施形態では、張力逃がし部分５７、５８は、例えば、図６に示すような体幹用衣服１００上のポリマーリベット５９、及び図１７に示すような脚用衣服２００上のポリマーリベット５９を使用して、脚及び体幹用衣服２００、１００にリベット留めされてもよい。そのようなリベット５９は、衣服１００、２００及び張力緩和部分５８、５７を貫通して延在して、衣服１００、２００を張力逃がし部分５８、５７に固定して結合することができる。加えて、また、張力逃がし部分５７、５８は、衣服２００、１００に取り外せるように結合されて、例えば、衣服２００、１００の周りを通り、または延在して、圧力印加領域１０１のそれぞれに至る管材料をすっかり覆い得る（例えば、図２〜図４に示すように）管材料カバー２３２、１３２の一部であってもよい（例えば、連続的に管材料カバー２３２、１３２の一部である、管材料カバー２３２、１３２の取り外し可能に結合可能な部分である、など）。
【００３９】
少なくとも１つの実施形態では、張力逃がし部分５７、５８は、２つの部分、すなわち、舌要素及び巻き付け要素を含むか、または備えるものと特徴付けられ得る。舌要素は、衣服に固定して取り付けられた第１の端部から、巻き付け要素に取り外せるように結合可能な第２の端部まで延在し得る。巻き付け要素は、例えば、管材料の移動によって巻き付け要素も移動するように、管材料に巻き付けられて、管材料にそれ自体を固定する構成であってもよい。舌要素の第２の端部が巻き付け要素に結合可能であるため、管材料の移動によって舌要素も移動する。舌要素の第１の端部は、衣服に固定して結合され、または固定されているので、管材料の移動は、張力逃がし部分によって制限され得、したがって、管材料上の不必要な移動または張力は、圧力印加領域への管材料の結合に影響を与えることなく、張力逃がし部分を介して衣服自体に向けられ得る。
【００４０】
さらに、１つ以上の実施形態では、圧力印加領域１０１、２０１は、１つ以上の身体部分または身体領域に圧力を加えるように構成された１つ以上の作動可能要素（例えば、非流体受容領域）を含み得る（例えば、電気信号を使用して、衣服内の電気的に作動可能な繊維などの衣服内の要素を作動させ、その結果、そのような繊維を含む区画が身体の一部または一領域に圧力をかけてもよい）。１つ以上の実施形態では、１つ以上の圧力印加領域１０１、２０１は、流体を受け入れるように構成された１つ以上のチャンバと、１つ以上の作動可能要素との両方を含んでもよい。
【００４１】
本明細書で説明するように、圧力印加領域１０１、２０１を制御して、リンパ液を移動させることができるように、任意数の圧力印加領域１０１、２０１（これらのいくつかは図１でラベル付けされている）を、それぞれ体幹及び脚用衣服１００、２００に構成してもよい。例えば、図１〜図１５に示すように、体幹用衣服１００は８つの圧力印加領域１０１を含み、脚用衣服２００は２２個の圧力印加領域２０１を含む。しかしながら、そのような圧力印加領域１０１、２０１は、衣服１００、２００の巻き付け可能な長手方向に沿って、任意数の様々な別個のチャンバを含んでもよく、所望のリンパ液の移動を生じさせるように制御可能である（例えば、リンパ液を下方向または上方向に概して垂直に移動させるために、体幹及び脚用衣服１００、２００の長手方向に沿った複数のチャンバなど）。
【００４２】
コントローラ、または制御装置５２は、衣服１００、２００の圧力印加領域１０１、２０１のそれぞれを使用して、身体１０の１つ以上の部分または領域に加えられる圧力を制御するように構成され得る。例えば、コントローラ５２は、圧力印加領域１０１、２０１のそれぞれを、互いに独立して、または同時に使用することによって、身体１０の１つ以上の部分または領域に加えられる圧力を制御してもよい。さらに、例えば、圧力印加領域１０１、２０１は、グループで、または組み合わせて制御されてもよい。１つ以上の実施形態では、コントローラ５２は、例えば、リンパ浮腫治療を実行する、または実施するのに適した多様な順序で圧力印加領域１０１，２０１を制御する（例えば、予め決められた通りに圧力を加える）ように構成されていてもよい。
【００４３】
さらに、コントローラ５２は、コントローラ５２及び衣服１００、２００と結合されるか、またはその一部である１つ以上の圧力センサ（例えば、圧力印加領域１０１、２０１に近接して衣服１００、２００に設けられたセンサ）によって測定された１つ以上の圧力に基づいて圧力を制御し得る。本明細書に記載された特徴（例えば、センサ）で修正され得る１つ以上の圧迫衣服は、参照により本明細書に援用される「Ｌｙｍｐｈｅｄｅｍａ  Ｔｒｅａｔｍｅｎｔ  Ｓｙｓｔｅｍ」と題する米国特許第６，８６０，８６２号、「Ｌｙｍｐｈｅｄｅｍａ  Ｔｒｅａｔｍｅｎｔ  Ｓｙｓｔｅｍ」と題する米国特許第６，９６６，８８４号、「Ｌｙｍｐｈｅｄｅｍａ  ｔｒｅａｔｍｅｎｔ  ｓｙｓｔｅｍ」と題する米国特許第６，１７９，７９６号、及び「Ｌｙｍｐｈｅｄｅｍａ  ｔｒｅａｔｍｅｎｔ  ｓｙｓｔｅｍ」と題する米国特許第６，６４５，１６５号に見られる１つ以上の特徴に類似していてもよく、その特徴を含んでもよい。
【００４４】
１つ以上の実施形態では、コントローラ５２は、１つ以上の方法またはプロセスを実行し、１種類以上のメモリで実装される１つ以上のプログラムまたはルーチンを使用する１つ以上のプロセッサを含み得、コントローラ５２は、システム及び／またはその１つ以上の要素を制御する（例えば、１つ以上の圧力印加領域によって圧縮療法を提供するなど）ように構成されていると特徴付けられ得る。１つ以上の実施形態では、コントローラ５２は、有線及び／または無線のテクノロジを用いて圧迫システムを制御するように構成してもよい。
【００４５】
本開示に記載された方法及び／または論理及び／または構成は、システム、または様々な構成部品によるものを含めて、少なくとも部分的には、ハードウェア、ソフトウェア、ファームウェア、またはそれらの任意の組み合わせで実装され得る。例えば、本技法の様々な態様は、１つ以上のマイクロプロセッサ、マイクロコントローラ、ＤＳＰ、ＡＳＩＣ、ＦＰＧＡ、または他の何らかの同等の集積論理回路もしくはディスクリート論理回路を含む１つ以上のプロセッサ、及びそのような構成要素の任意の組み合わせ、または他のデバイスの内部に実装されてもよい。「プロセッサ」または「処理回路」という用語は、一般に、単独もしくは他の論理回路と組み合わせた上記の論理回路のいずれか、または他の何らかの同等の回路を指し得る。
【００４６】
そのようなハードウェア、ソフトウェア、及び／またはファームウェアは、本開示に記載される様々な動作及び機能をサポートするように、同じデバイス内に、または別個のデバイス内（例えば、システム内、システム外、または双方の組み合わせ）に実装してもよい。加えて、記載される構成要素のいずれかを、ディスクリートではあるが相互運用可能な論理デバイスとして、一緒にまたは別々に実装してもよい。様々な特徴の説明は、様々な機能上の態様を強調することを目的としており、そのような特徴が、別個のハードウェア構成要素またはソフトウェア構成要素によって実現されなければならないことを必ずしも意味するものではない。むしろ、機能性は、別個のハードウェア構成要素もしくはソフトウェア構成要素によって実施されてもよく、または共通もしくは別個のハードウェア構成要素またはソフトウェア構成要素のうちに統合されてもよい。
【００４７】
ソフトウェアで実装される場合、本開示に記載されるシステム及び方法に帰する機能性は、ＲＡＭ、ＲＯＭ、ＮＶＲＡＭ、ＥＥＰＲＯＭ、ＦＬＡＳＨメモリ、磁気データ記憶媒体、光データ記憶媒体などのコンピュータ可読媒体上の命令及び／または論理として具現化され得る。命令及び／または論理は、本開示に記載される機能の１つ以上の態様をサポートするために、１つ以上のプロセッサによって実行されてもよい。
【００４８】
さらに、圧迫衣服システム５０は、複数のチャンバであり得る複数の圧力印加領域１０１、２０１との間で、流体を供給するように、コントローラ５２によって制御され得るポンプ５３を含み得る。例えば、ポンプ５３は、複数の圧力印加領域１０１、２０１に対応する複数のチャンバに、その複数のチャンバへの流体の流れ、またはその複数のチャンバからの流体の排除を実現するために、管材料５４、５５によって接続されてもよい。
【００４９】
さらに、１つ以上の実施形態では、コントローラ５２は、図１の破線５６によって概して表されるように、１つ以上の電線路を介して、及び／または無線で、圧迫衣服システム５０の１つ以上の構成要素に接続され得る。例えば、コントローラ５２は、物理的電気接続の使用及び／または無線のいずれかで接続して、通信し、圧力印加領域（例えば、身体に圧力を加えるように構成される衣服の電気的に作動可能な圧力印加領域など）を制御し得る。
【００５０】
衣服１００、２００の圧力印加領域１０１、２０１は、圧力印加領域１０１、２０１がコントローラ５２の制御下にあるために、制御可能であると特徴付けられ得る。したがって、システム５０は、コントローラ５２を使用して、例えば、身体１０の１つまたは複数の脚１２、１３から体幹または胴体２５へ、身体１０の体幹または胴体２５から１つまたは複数の脚１２、１３へなど、リンパ液が所望の方向に身体１０全体にわたって流れるように、衣服１００、２００を着用している個人（例えば、患者）に圧迫療法を提供する構成となっていてもよい。つまり、例えば、多様な順序で圧力印加領域１０１、２０１を制御する（例えば、予め決められた通りに圧力を加える）ことによって、リンパ液が、概して身体１０の脚１２、１３及び体幹下部から身体１０の体幹上部へ向かって流れるようにしてもよい。脚１２，１３から身体１０の体幹２５へのリンパ流の方向は、脚１２，１３から余分のリンパ液を移動させ、最終的には、そのようなリンパ液を、例えば、右腕下領域に近接してある右腋窩結節、及び左腕下領域に近接してある左腋窩結節などの、体幹２５の１つ以上の領域へ向けて移動させること、及び体幹２５の１つ以上の領域に移動させることによって、個人に苦痛の緩和をもたらすことができる。
【００５１】
体幹及び脚用衣服１００、２００の圧力印加領域１０１、２０１は、常圧値、もしくは第１の圧力値を提供するか、または圧上昇値、もしくは第２の圧力値を提供するかのいずれかであると特徴付けられ得る（例えば、圧上昇値、または第２の圧力値は、常圧値、または第１の圧力値よりも大きい）。少なくとも１つの実施形態では、体幹及び脚用衣服１００、２００の圧力印加領域１０１、２０１の第１の圧力値、または常圧値は、（大気圧に対して）約０ｍｍＨＧ、約１０ｍｍＨＧ、約２０ｍｍＨＧ、約３０ｍｍＨＧ、約５０ｍｍＨＧ、約６０ｍｍＨＧなどであり、体幹及び脚用衣服１００、２００の圧力印加領域１０１、２０１の第２の圧力値、または圧上昇値は、（大気圧に対して）約３０ｍｍＨＧ、約４０ｍｍＨＧ、約４５ｍｍＨＧ、約５０ｍｍＨＧ、約７０ｍｍＨＧ、約１００ｍｍＨＧなどである。例えば、体幹及び脚用衣服１００、２００の圧力印加領域１０１、２０１の第１の圧力値、または常圧値は、約０ｍｍＨｇ以上、約５ｍｍＨｇ以上、約１０ｍｍＨｇ以上、約２０ｍｍＨｇ以上、約３０ｍｍＨｇ以上、約４０ｍｍＨｇ以上、約５０ｍｍＨｇ以上、約６０ｍｍＨｇ以上などであってよい。さらに、例えば、体幹及び脚用衣服１００、２００の圧力印加領域１０１、２０１の第１の圧力値、または常圧値は、約８０ｍｍＨｇ以下、約７０ｍｍＨｇ以下、約５５ｍｍＨｇ以下、約４５ｍｍＨｇ以下、約３５ｍｍＨｇ以下などであってよい。例えば、体幹及び脚用衣服１００、２００の圧力印加領域１０１、２０１の第２の圧力値、または圧上昇値は、約２０ｍｍＨｇ以上、約４０ｍｍＨｇ以上、約５０ｍｍＨｇ以上、約６０ｍｍＨｇ以上、約７０ｍｍＨｇ以上、約８０ｍｍＨｇ以上、約９０ｍｍＨｇ以上、約１０５ｍｍＨｇ以上、約１２０ｍｍＨｇ以上、約１４０ｍｍＨｇ以上、約１６０ｍｍＨｇ以上、約１９０ｍｍＨｇ以上などであってよい。例えば、体幹及び脚用衣服１００、２００の圧力印加領域１０１、２０１の第２の圧力値、または圧上昇値は、約３００ｍｍＨｇ以下、約２５０ｍｍＨｇ以下、約２００ｍｍＨｇ以下、約１７５ｍｍＨｇ以下、約１５０ｍｍＨｇ以下、約１３０ｍｍＨｇ以下、約１１０ｍｍＨｇ以下、約１００ｍｍＨｇ以下、約９５ｍｍＨｇ以下、約８５ｍｍＨｇ以下、約７５ｍｍＨｇ以下、約６５ｍｍＨｇ以下、約４５ｍｍＨｇ以下、約３０ｍｍＨｇ以下などであってよい。
【００５２】
体幹用衣服１００は、図６〜図９では単独で示されており、体幹用衣服１００は、一般に、体幹または胴体２５の中央領域及び下部領域、ならびに身体１０の脚１２、１３の上部領域のうちの１つ以上に圧迫療法を提供するように、身体１０に対して配置可能であると特徴付けられ得る。より具体的には、体幹用衣服１００が着用される際に、体幹用衣服１００は、身体１０に沿って延在する軸９に概ね沿って、上端領域１０２から下端領域１０４まで延在するものと特徴付けられ得る。
【００５３】
体幹用衣服１００が身体１０の周りに着用される際に、その上端領域１０２は、身体１０の大きさに対する体幹用衣服１００の大きさに応じて、腹部領域１４（例えば、胃の部位を含む）、下腹部領域１５、及び／または股関節部領域１６に近接する部位に配置され、または位置し得る。１つ以上の実施形態では、体幹用衣服１００は、上端領域１０２が少なくとも身体１０の下腹部領域１５に近接して配置され、または位置するように構成してもよい。１つ以上の実施形態では、体幹用衣服１００は、上端領域１０２が少なくとも身体１０の臍（ｕｍｂｉｌｉｃｕｓ）もしくは臍（ｎａｖｅｌ）に近接して配置され、または位置するように構成してもよい。換言すれば、体幹用衣服１００は、軸９に沿って上方向に、少なくとも身体１０の下腹部領域１５、または少なくとも身体１０の臍（ｕｍｂｉｌｉｃｕｓ）もしくは臍（ｎａｖｅｌ）まで延在し得る。
【００５４】
体幹用衣服１００が身体１０の周りに着用される際に、その下端領域１０４は、脚１２、１３のそれぞれの大腿骨領域１８（例えば、大腿部）の上方部位に近接する部位に配置され、または位置し得る。下端領域１０４は、身体１０の大きさに対する体幹用衣服１００の大きさに応じて、身体の脚１２、１３上のより近位（例えば、より高い位置）またはより遠位（例えば、より低い位置）に配置され得る。１つ以上の実施形態では、体幹用衣服１００は、下端領域１０４が身体１０の膝蓋骨領域または膝１９に近接して配置され、または位置するように構成してもよい。１つ以上の実施形態では、体幹用衣服１００は、下端領域１０４が、少なくとも身体１０の下腹部領域１５と膝蓋骨領域１９との間のほぼ中間に位置する部位に近接して配置され、または位置するように構成してもよい。１つ以上の実施形態では、体幹用衣服１００は、下端領域１０４が少なくとも身体１０の股関節部領域１６を越えて配置され、または位置するように構成してもよい。
【００５５】
言い換えれば、体幹用衣服１００の下端領域１０４は、例えば、股関節部領域１６などの、脚１２、１３の大腿骨領域１８の上方部位の少なくとも一部に沿って延在することができ、いくつかの実施形態では、下端領域１０４は、身体１０の下腹部領域１５と膝蓋骨領域１９との間のほぼ中間の部位まで、または身体１０の膝蓋骨領域１９まで幅広く、脚部１２、１３に沿って更に遠位に延在し得る。
【００５６】
１つ以上の実施形態では、体幹用衣服１００は、この管材料５４が、例えば、上端領域または下端領域１０２、１０４から延在する（厄介な場合がある）のに代えて、上端領域１０２と下端領域１０４との間で体幹用衣服１００に結合され、そこから延在するように構成され得る。換言すれば、管材料５４は、下端領域１０４と上端領域１０２との間にある中間領域で体幹用衣服１００に結合され、そこから延在してもよい。
【００５７】
体幹用衣服１００は、上端領域１０２に結合され、そこから延在する１つ以上または複数のループ部分１５０をさらに含み得る。ループ部分またはウェビング１５０は、体幹用衣服１００を着用しまたは取り外す際に、ユーザによって把持されるように構成してもよい。１つ以上の実施形態では、ループ部分１５０は、実質的に体幹用衣服１００の全周に位置させてもよい。１つ以上の実施形態では、ループ部分１５０は、左前側、右前側、左側、及び右側のうちの１つ以上など、体幹用衣服１００の周りの１つ以上の選択部位にのみ位置させてもよい。少なくとも１つの実施形態では、ループ部分１５０は、体幹用衣服１００の上端領域１０２に縫い付けられる織られたナイロンストラッピングであってもよい。
【００５８】
図６では、体幹用衣服１００の内面１０５を露出させて、広げられた構成の体幹用衣服１００が示される。内面１０５は、体幹用衣服１００が着用される際に、ユーザの身体１０と実質的に接触する面である。外面１０６は、内面１０５の反対側にあり（例えば、内面１０５と違った実質的に逆の方向を向く）、外面１０６は、体幹用衣服１００が着用される際に、ユーザの身体１０から外側の方を向くように構成される。
【００５９】
本明細書で説明する実施形態では、体幹用衣服１００は、図６に示すように、巻き付け部分１１０、左上脚部分１２０、及び右上脚部分１３０を含むものと特徴付けられ得る。巻き付け部分１１０は、上端領域１０２を画定し得、左上脚部分及び右上脚部分１２０、１３０は、下端領域１０４を画定し得る。巻き付け部分１１０は、身体１０の体幹２５の少なくとも一部の周りに巻き付けられるように構成され得る。左上脚部分１２０は、身体１０の左脚１２の少なくとも一部に巻き付けられるように構成され得る。右上脚部分１３０は、身体１０の右脚１３の少なくとも一部に巻き付けられるように構成され得る。
【００６０】
巻き付け部分１１０、左上脚部分１２０、及び右上脚部分１３０のそれぞれは、身体１０の一部の周りに少なくとも部分的に巻き付けられるように構成されてもよく、体幹用衣服１００が着用される際に、ユーザの身体部分の周りに同心円状に配置される複数の圧力印加領域１０１を含み得る。より具体的には、体幹圧力印加領域１０１のそれぞれは、体幹用衣服１００がユーザによって着用される際に、一般に、体幹２５、及び脚１２、１３の上部の周りの軸９に実質的に垂直な平面内に実質的に位置するものと特徴付けられ得る。体幹用衣服１００の圧力印加領域１０１は、流れを垂直及び横に導く設計（例えば、軸９に実質的に垂直な平面内に位置しない湾曲したチャンバを有する設計）とは異なり、圧力印加領域１０１が、流体を一定方向に垂直に、下肢治療のためには臍の分水嶺を横切って上に、または上肢治療のためには鼠径の分水嶺に向かって下方に、どちらか一方に導くように、同心かつ平行になっていると特徴付けられ得る。言い換えれば、同心の平行な圧力印加領域１０１は、軸９に対して実質的に横向きに、または実質的に垂直に、流体（例えば、リンパ液）を導くように構成されなくてもよく、代わりに、軸９に対して実質的に垂直に、または実質的に平行に、流体（例えば、リンパ液）を導くように構成されてもよい。
【００６１】
体幹用衣服１００は、さらに、左上脚部分及び右上脚部分１２０、１３０から延在し、左上脚部分及び右上脚部分１２０、１３０に結合される複数の大腿部ストラップ１４０を含み得る。大腿部ストラップ１４０の各々は、それぞれ脚１２、１３の大腿骨領域１８（例えば、大腿部）を受け入れるために、把持され、動かされ、左上脚部分及び右上脚部分１２０、１３０の領域に、取り外し可能に結合されて、それぞれ左上脚開口部及び右上脚開口部１２１、１３１を画定し得る。体幹用衣服１００が身体１０の周りに着用される際に、大腿部ストラップ１４０を、身体１０の脚１２、１３の大腿骨領域１８の少なくとも前側に端から端まで延在させてもよい。より具体的には、この実施形態に示すように、２つの大腿部ストラップ１４０が、左上脚部分及び右上脚部分１２０、１３０のそれぞれに結合され、左上脚部分及び右上脚部分１２０、１３０のそれぞれから延在しており、２つの大腿部ストラップ１４０は、それぞれ左上脚部分及び右上脚部分１２０、１３０の大腿部取り付け領域に、取り外し可能に結合されるように構成される。大腿部ストラップ１４０と大腿部取り付け領域との間の取り外し可能な結合は、例えば、フックアンドループ式ファスナなどの任意好適な取り外し可能接続装置を用いて容易にすることができる。例えば、大腿部ストラップ１４０は、フックアンドループ式ファスナの「フック」部分を含んでもよく、一方、大腿部取り付け領域は、フックアンドループ式ファスナの「ループ」部分を含んでもよい。より具体的には、体幹用衣服１００の外面１０６が、フックアンドループ式ファスナの「ループ」部分となり得る材料か、またはフックアンドループ式ファスナの「ループ」部分として機能し得る材料であってもよい。
【００６２】
大腿部ストラップ１４０は、左上脚部分及び右上脚部分１２０、１３０の左上脚開口部及び右上脚開口部１２１、１３１の大きさを調節して、例えば、所望の水準の装着、締め付け、快適性などで、それぞれユーザの左脚及び右脚１２、１３の周りに適合させるのに使用され得る。大腿部ストラップ１４０は、ユーザが体幹用衣服１００を使用する最初の、または初期の時に、左上脚部分及び右上脚部分１２０，１３０の左上脚開口部及び右上脚開口部１２１，１３１の大きさを調節するために使用されてもよく、その後、ユーザは、体幹用衣服１００を着用する際に大腿部ストラップ１４０を調節しなくてもよい。代わりに、ユーザは、ユーザの脚１２、１３のそれぞれを、左上脚部分及び右上脚部分１２０、１３０の左上脚開口部及び右上脚開口部１２１、１３１の中へ位置させ、または滑り込ませてもよく、その後、ユーザは、下着またはズボンを着用するのと同じように、体幹用衣服１００をユーザの体幹２５に向けて上方に引っ張ってもよい（例えば、ループ部分１５０を使用する）。このようにして、左上脚部分及び右上脚部分１２０、１３０は、ユーザが望む特定の大きさに調節された状態を保つことができる。それにもかかわらず、ユーザが左上脚部分及び右上脚部分１２０、１３０の左上脚開口部及び右上脚開口部１２１、１３１の装着または大きさを変更したい場合は、ユーザは、大腿部ストラップ１４０を、左上脚部分及び右上脚部分１２０、１３０の大腿部取り付け領域に取り外し可能に結合されている状態から取り外し、所望の水準の装着を達成するために、大腿部ストラップ１４０を左上脚部分及び右上脚部分１２０、１３０に対して移動させ、その後、大腿部ストラップ１４０を大腿部取り付け領域に再結合させてもよい。さらに、大腿部ストラップ１４０のそれぞれは、一度に１つずつ、または同時に調節してもよい。
【００６３】
図示のように、２つの大腿部ストラップ１４０が、左上脚部分及び右上脚部分１２０、１３０のそれぞれに結合され、左上脚部分及び右上脚部分１２０、１３０のそれぞれから延在しているが、本明細書で説明される例示的な体幹用衣服１００は、左上脚部分及び右上脚部分１２０、１３０のそれぞれに結合され、左上脚部分及び右上脚部分１２０、１３０のそれぞれから延在する任意数の大腿部ストラップ１４０を含み得ることを理解されたい。１つ以上の実施形態では、体幹用衣服１００は、左上脚部分及び右上脚部分１２０、１３０のそれぞれに結合され、左上脚部分及び右上脚部分１２０、１３０のそれぞれから延在する１つの大腿部ストラップ１４０を含んでもよい。１つ以上の実施形態では、体幹用衣服１００は、左上脚部分及び右上脚部分１２０、１３０のそれぞれに結合され、左上脚部分及び右上脚部分１２０、１３０のそれぞれから延在する、例えば、２つ以上の大腿部ストラップ、３つ以上の大腿部ストラップ、５つ以上の大腿部ストラップなどの、複数の大腿部ストラップ１４０を含んでもよい。
【００６４】
例えば、大腿部ストラップ１４０の各々が、それぞれ左上脚部分及び右上脚部分１２０、１３０の左上脚開口部及び右上脚開口部１２１、１３１の大きさを調節するために使用される際に、互いにある程度独立して機能し得るように、大腿部ストラップ１４０の間に、裂け目または空隙１４１が画定され得る。換言すれば、体幹用衣服１００は、鼠径部領域１７における有効範囲及び圧迫の改善を可能にする大腿部フラップ１４０に、切欠き付き大腿部ストラップ１４０またはスリット１４１を提供するものであると特徴付けられ得る。
【００６５】
体幹用衣服１００の巻き付け部分１１０は、身体１０の腹部領域１４、下腹部領域１５、股関節部領域１６、鼠径部領域１７、及び大腿骨領域１８の上部のうちの１つ以上の周りに少なくとも部分的に巻き付けられるように構成され得る。巻き付け部分１１０は、図６に示すように、第１の前部領域１１２から後部領域１１４、第２の前部領域１１６へと延在すると特徴付けられてもよい。第１の前部領域１１２は、身体１０と実質的に直接接触して、ユーザの身体１０の前部に近接して配置されるように構成されてもよい。実質的な直接接触とは、体幹用衣服１００の部分とユーザの身体１０との間に、体幹用衣服１００の他の部分または領域が位置していないように、身体１０と「接触」していることであると特徴付けられ得る。後部領域１１４は、ユーザの身体１０と実質的に直接接触して、ユーザの身体１０の後部に近接して配置されるように構成され得る。また、第２の前部領域１１６は、体幹用衣服１００がユーザによって着用される際に、第１の前部領域１１２の上に、ユーザの身体１０の前部に近接して配置されるように構成され得る。したがって、巻き付け部分１１０の第１の前部領域１１２は、ユーザの身体１０の前部に隣接するか、または実質的に直接接触していると特徴づけることができるが、巻き付け部分１１０の第２の前部領域１１４は、第１の前部領域１１２が第２の前部領域１１６とユーザの身体１０との間に位置するため、ユーザの身体１０の前部に隣接するか、または実質的に直接接触していると特徴づけることはできない。
【００６６】
例えば、図７では、体幹用衣服１００は、ユーザの周りに部分的に着用されており、第１の前方領域１１２は、示すように、ユーザの身体１０の前部に近接して位置し、身体１０と実質的に直接接触している。後方領域１１４は、ユーザの身体１０の後部に近接して位置し、この図には示していないが、身体１０と実質的に直接接触している。また一方、体幹用衣服は部分的にのみ着用されているので、第２の前部領域１１６は、体幹用衣服１００の残りの部分から垂れ下がっている。
【００６７】
体幹用衣服１００を完全に着用するために、第２の前部領域１１６は、第１の前部領域１１２の上を、ユーザの身体１０の前側の端から端まで延在させ、第１の前部領域１１２に体幹取り付け部位１６２で取り外せるように結合され得る。第１の前部分１１２と第２の前部分１１６との間の取り外し可能な結合は、例えば、フックアンドループ式ファスナなどの任意好適な取り外し可能接続装置を用いて容易にすることができる。例えば、第２の前部領域１１６は、フックアンドループ式ファスナの「フック」部分を含んでもよく、一方、第１の前部領域１１２は、フックアンドループ式ファスナの「ループ」部分を含んでもよい。より具体的には、体幹用衣服１００の外面１０６が、体幹取り付け部位１６２のフックアンドループ式ファスナの「ループ」部分となり得る材料か、または体幹取り付け部位１６２のフックアンドループ式ファスナの「ループ」部分として機能し得る材料であってもよい。
【００６８】
体幹用衣服１００を取り外すために、第２の前部領域１１６は、体幹取り付け部位１６２で第１の前部領域１１２に結合されているのを取り外すことができる。第１の前部領域１１２からの第２の前部領域１１６の頻繁な結合及び解放は、いくつかの例では、それらの間に画定される取り外し可能な結合の弱体化をもたらし得る。言い換えれば、第１の前部領域及び第２の前部領域１１２、１１６が取り付けられ、取り外されるほど、フックアンドループ式ファスナなどの取り外し可能な接続装置または結合装置は、例えば、疲労などにより、その結合特性のいくらかを失い得る。よって、１つ以上の実施形態では、第２の前部領域１１６は、図７Ｂに示すように、犠牲取り付け部分１７０を使用して、第１の前部領域１１２に取り外し可能に結合してもよい。犠牲取り付け部分１７０は、体幹取り付け部位１６２で第１の前部領域１１２に取り外し可能に結合され得、また、第２の前部領域１１６にも取り外し可能に結合され得、それによって第１の前部領域１１２を第２の前部領域１１６に結合する。言い換えれば、犠牲取り付け部分１７０は、第１の前部領域１１２と第２の前部領域１１６との間に配置された中間結合要素であると特徴付けられ得る。１つ以上の実施形態では、犠牲取り付け部分１７０と第１の前部領域１１２との間の取り外し可能な結合は、犠牲取り付け部分と第２の前部領域１１６との間の取り外し可能な結合よりも強い。このようにして、ユーザが第２の前部分１１６を把持し、第２の前部分１１６を第１の前部分１１２から遠ざけると、第２の前部分１１６と犠牲取り付け部分１７０との間の取り外し可能な結合は解放され、一方、第１の前部分１１２と犠牲取り付け部分１７０との間の取り外し可能な結合は固定されたままである。したがって、犠牲取り付け部分１７０は、第２の前部分１１６が犠牲取り付け部分１７０から引き離されている間、第１の前部分１１２に取り付けられた状態であり得る。犠牲取り付け部分１７０は、第１の前部分１１２に対する取り付け及び引き離しが繰り返し行われなくてもよいので、第１の前部分１１２の表面の完全性（例えば、結合特性）を維持することができる（例えば、第１の前部分１１２と犠牲取り付け部分１７０との間の取り付け及び取り外しが、最小限または不在であり、これによる第１の前部分１１２の表面の疲労がない）。
【００６９】
巻き付け部分１１０をユーザの体幹１２の周りに移動させて、巻き付け部分１１０、ひいては体幹用衣服１００を、ユーザの体幹１２の周りで調節する（例えば、締め付ける、緩める、再配置するなど）ために、巻き付け部分１１０には、ユーザの手を受け入れる手袋開口部１６５を画定してもよい。より具体的には、巻き付け部分１１０の第２の前部領域１１６は、後部領域１１４から延在し、手袋終端部位１１７で終端されると特徴付けられ得る。言い換えれば、巻き付け部分１１０は、手袋終端部位１１７を越えて延在することはできない。
【００７０】
巻き付け部分１１０は、ユーザが体幹用衣服１００を着用するのに役立つために、ユーザの手を受け入れるように構成され、または設計された手袋開口部１６５を画定する手袋終端領域１１７のところに手袋１６６を含み得る。１つ以上の実施形態では、手袋開口部１６５は、ユーザの手の指よりも多くを受け入れるように大きさを調整してもよい。１つ以上の実施形態では、手袋開口部１６５は、３つの閉じた側部と１つの開いた側部とによって画定され得る。言い換えれば、手袋１６６はポケットを形成してもよく、これが手袋開口部１６５と呼ばれ得る。さらに、図に示すような１つ以上の実施形態では、手袋開口部１６５の閉じた側部が、巻き付け部分１１０の手袋終端部位１１７を終端させてもよい。１つ以上の実施形態では、手袋１６６の第１の部分は、巻き付け部分１１０の第２の前部領域１１６の一部であってもよく、手袋１６６の第２の部分は、手袋１６６及び手袋開口部１６５を作成しまたは提供するために、巻き付け部分１１０の第２の前部領域１１６に取り付け、または結合（例えば、縫う、接着するなど）してもよい（例えば、３つの側部に取り付けられて、１つの開いた側部を提供する）。それにもかかわらず、手袋１６６及び手袋開口部１６５、またはポケットは、任意の方法によって形成してよいことを理解されたい。例えば、手袋１６６、したがって手袋開口部１６５は、巻き付け部分１１０の一部をそれ自体の上に折り返し、その上端及び下端を結合して、手袋開口部１６５を画定するポケットを形成することによって、作成または形成を行ってもよい。
【００７１】
手袋１６６及び手袋開口部１６５は、手袋開口部１６５が、ユーザの手の指、または指の一部よりも多くを受け入れる構成となるように、大きさを調整し、組み立ててもよい。言い換えれば、手袋開口部１６５は、典型的な人間のユーザの手または少なくともユーザの手の大部分を受け入れるために、典型的な人間のユーザの指よりも大きいポケットを画定してもよい。さらに、手袋開口部１６５を、ユーザの中手指節関節（例えば、指骨と中手骨との間の関節）の観点から説明してもよい。例えば、手袋開口部１６５は、人差し指、中指、薬指、小指、及びユーザの手の中手指節関節を越えるユーザの手の少なくとも一部または領域を受け入れ、または保持するような大きさに構成してもよい。言い換えれば、体幹用衣服１００は、ユーザの身体１０のウエスト周りで、簡単に片手で体幹用衣服１００を開閉することができる「オーブン用手袋」ポケット１６５を画定する「オーブン用手袋」１６６を含むものと特徴付けられ得る。
【００７２】
脚用衣服２００が、図１０〜図１５では単独で示されており、脚用衣服２００は、一般に、身体１０の足を含む脚１２、１３の１つ以上の領域に圧迫療法を提供するように、身体１０に対して配置可能であると特徴付けられ得る。ユーザの身体１０の左脚１２の周りに着用されるものとして、単一の脚用衣服２００のみが示されているが、複数の脚用衣服２００が、同時に一ユーザによって使用されてもよいことを理解されたい。より具体的には、２つの脚用衣服２００を、１つの脚用衣服２００が左脚１２に圧迫療法を提供し、１つの脚用衣服２００が右脚１３に圧迫療法を提供するなど、身体１０に圧迫療法を提供するように、身体１０に対して配置可能であってよい。
【００７３】
脚用衣服２００は、上端領域２０２から下端領域２０４まで、概して身体１０の脚１２に沿って延在するものと特徴付けられ得る。脚用衣服２００が身体１０の周りに着用される際に、その上端領域２０２は、身体１０の大きさに対する脚用衣服２００の大きさに応じて、大腿骨領域１８（例えば、大腿部）に近接する部位に配置され、または位置し得る。１つ以上の実施形態では、脚用衣服２００は、例えば、左上脚部分１２０の領域、または右上脚部分１３０の領域などの下端領域１０４に近接する体幹用衣服１００の一部と重なり、またはその体幹用衣服１００の一部によって重ねられ得る。例えば、図１〜図５に示される実施形態は、体幹用衣服１００の左脚部分１２０の領域または部分と重なり合うように、身体１０の左脚１２の周りに着用される脚用衣服２００を示している。より具体的には、脚用衣服２００の上端領域２０２が、左脚部分１２０に結合された２つの大腿部ストラップ１４０の間にほぼ位置するように、脚用衣服２００は、体幹用衣服１００の左脚部分１２０に重なり合う。このようにして、脚用衣服２００は、体幹用衣服１００の２つの圧力印加領域１０１に重なり合うように見える。本明細書に記載される圧迫衣服は、様々な大きさに製造することができるが、様々な大きさの装備はまた、圧迫衣服がその上に着用される身体１０の大きさからも影響を受けることを理解されたい。したがって、脚用衣服２００が、体幹用衣服１００に重なっていないか、または体幹用衣服１００に接触すらしていない状況がある場合があり、脚用衣服２００が、体幹用衣服１００に、図１〜図５の実施形態に示されるよりも多く重なるか、または少なく重なる状況がある場合がある。
【００７４】
１つ以上の実施形態では、脚用衣服２００が身体１０の左脚１２の周りに着用される際に、下端領域２０４が、図示のようにペダルまたは足領域２２に近接する部位に配置され、または位置し得る。他の実施形態では、脚用衣服２００は、図示のように遠位に延在しなくてもよい。例えば、脚用衣服２００が身体１０の左脚１２の周りに着用される際に、下端領域２０４は、足根または足首領域２１に近接する部位や、または下腿領域２０など、更に近位に配置され、または位置させてもよい。したがって、脚用衣服２００は、例えば、下腿領域２０、足根領域２１、ペダル領域２２、及び指／指骨領域２３など、上端領域２０２から少なくとも膝蓋骨または膝領域１９を越える領域まで延在することを記載することができる。その上、脚用衣服２００の上端領域２０２に関して本明細書で説明したのと同様に、脚用衣服２００の下端領域２０４の位置調整は、脚用衣服２００と脚用衣服が着用される身体１０との相対的な大きさ調整に依存し得る。
【００７５】
１つ以上の実施形態では、脚用衣服管接続口に結合された管材料５５が、脚用衣服２００は、管材料５５が、例えば、上端領域または下端領域２０２、２０４から延在する（厄介で、不快感の原因となる脚用衣服の望ましくない部分に重量を与える場合がある）のではなく、上端領域２０２と下端領域２０４との間で脚用衣服２００に結合され、そこから延在するように構成され得る。換言すれば、管材料５５は、下端領域２０４と上端領域２０２との間にある中間領域で脚用衣服２００に結合され、そこから延在してもよい。
【００７６】
さらに、図１４に示すように、また、より具体的には、管材料５５は、上端領域２０２と膝蓋骨領域１９との間で脚用衣服２００に結合され、そこから延在してもよい。他の実施形態では、管材料５５は、膝蓋骨領域１９においてか、または例えば、下腿領域２０、足根領域２１、及びペダル領域２２などの膝蓋骨領域１９よりも更に遠位においてかで、脚用衣服２００から延在するように結合されてもよい。
【００７７】
言い換えれば、管材料またはホース５５は、例えば、ふくらはぎの近くなど、脚用衣服２００の側面から出てもよく、このことは、ユーザの不快感を軽減し得る。例えば、ホースまたは管材料が足の端から延在している衣服は、足の端に重量を加える可能性があり、結果として、ユーザにとって不快な場合がある回内位置に足を引っ張るおそれがある。したがって、本明細書に示し、説明するように、脚用衣服２００の側面から出る管材料またはホース５５は、この不快感を軽減することができる。
【００７８】
脚用衣服２００は、上端領域２０２に結合され、そこから延在する１つ以上または複数のループ部分２５０をさらに含み得る。ループ部分またはウェビング２５０は、脚用衣服２００を着用しまたは取り外す際に、ユーザによって把持されるように構成された１つ以上のループを画定してもよい。１つ以上の実施形態では、ループ部分２５０は、実質的に脚用衣服２００の全周に位置させてもよい。１つ以上の実施形態では、ループ部分２５０は、前側、後側、左側、及び右側のうちの１つ以上など、脚用衣服２００の周りの１つ以上の選択部位にのみ位置させてもよい。少なくとも１つの実施形態では、ループ部分２５０は、脚用衣服２００の上端領域２０２に縫い付けられる織られたナイロンストラッピングであってもよい。
【００７９】
脚用衣服２００は、着用時にユーザの足に近接して配置されるように構成された足部分２１０、着用時にユーザのふくらはぎに近接して配置されるように構成されたふくらはぎ部分２２０、及び着用時にユーザの大腿部に近接して配置されるように構成された大腿部分２３０を含み得る。脚用衣服２００の大きさを調節して、例えば、ユーザの脚に適切にフィットさせるために、脚部衣服２００は、ふくらはぎ部分２２０及び大腿部分２３０のうちの１つに結合され、そこから延在する複数の調節可能な脚ストラップ２４０を含んでもよい。複数の調節可能な脚ストラップ２４０は、ふくらはぎ部分２２０及び大腿部分２３０のうちの１つに取り外し可能に結合されて、ユーザの脚１２の大腿骨領域１８（例えば、大腿部）、膝蓋骨領域１９、及び下腿領域２０の少なくとも一部を受け入れるための脚開口部２０９を（例えば、図１１に示すように）形成し、または画定し得る。脚用衣服２００が左脚１２に装着される際に、脚ストラップ２４０は、少なくとも左脚１２の前側を端から端まで延在してもよく、ふくらはぎ部分及び大腿部分２２０、２３０の脚取り付け部位に取り外し可能に結合されるように構成されており、これらは、図１６に関して本明細書でさらに説明する。脚ストラップ２４０と脚取り付け部位との間の取り外し可能な結合は、例えば、フックアンドループ式ファスナなどの任意好適な取り外し可能接続装置を用いて容易にすることができる。例えば、脚ストラップ２４０は、フックアンドループ式ファスナの「フック」部分を含んでもよく、一方、脚取り付け部位は、フックアンドループ式ファスナの「ループ」部分を含んでもよい。より具体的には、脚取り付け部位での脚用衣服２００の外面が、フックアンドループ式ファスナの「ループ」部分となり得る材料か、またはフックアンドループ式ファスナの「ループ」部分として機能し得る材料であってもよい。
【００８０】
脚ストラップ２４０は、ふくらはぎ部分及び大腿部分２２０，２３０を含む脚用衣服２００の脚開口部２０９の大きさを調節して、例えば、所望の水準の装着、締め付け、快適性などで、ユーザの脚の周りに適合させるのに使用され得る。１つ以上の実施形態では、脚ストラップ２４０は、ユーザが脚用衣服２００を使用する最初の、または初期の時に、脚用衣服２００の長手方向に沿って、脚開口部２０９の大きさを調節するために使用されてもよく、その後、ユーザは、脚用衣服２００を着用する際に脚ストラップ２４０を調節しなくてもよい。代わりに、ユーザは、ユーザの脚を脚開口部２０９の中に位置させ、または滑り込ませてもよく、その後、ユーザは、ストッキングまたは靴下を着用するのと同じように、ユーザの体幹２５に向けて（例えば、ループ部分２５０を使用して）脚用衣服２００を上方に引っ張ってもよい。このようにして、脚部分衣服２００は、ユーザが望む特定の大きさに調節された状態を保つことができる。それにもかかわらず、ユーザが脚開口部２０９の装着または大きさを変更したい場合は、ユーザは、脚ストラップ２４０を、脚取り付け領域に取り外し可能に結合されている状態から取り外し、所望の水準の装着を達成するために、脚ストラップ２４０をふくらはぎ部分及び大腿部分２２０、２３０に対して移動させ、その後、脚ストラップ２４０を脚取り付け領域に再結合させてもよい。さらに、脚ストラップ２４０のそれぞれは、一度に１つずつ、または同時に調節してもよい。
【００８１】
図示のように、４つの脚ストラップ２４０が、ふくらはぎ部分及び大腿部分２２０、２３０に結合され、ふくらはぎ部分及び大腿部分２２０、２３０から延在しているが、本明細書で説明される例示的な脚用衣服２００は、ふくらはぎ部分及び大腿部分２２０、２３０に結合され、ふくらはぎ部分及び大腿部分２２０、２３０から延在する任意数の脚ストラップ２４０を含み得ることを理解されたい。１つ以上の実施形態では、脚用衣服２００は、ふくらはぎ部分及び大腿部分２２０、２３０のそれぞれに結合され、ふくらはぎ部分及び大腿部分２２０、２３０のそれぞれから延在する、例えば、２つ以上の脚ストラップ、３つ以上の脚ストラップ、５つ以上の脚ストラップなどの、複数の脚ストラップ２４０を含んでもよい。例えば、脚ストラップ２４０の各々が、脚用衣服２００の脚開口部２０９の大きさを調節するために使用される際に、（例えば、裂け目２４１に起因して、脚ストラップ２４０の端部が互いに対して可撓性であるために）互いにある程度独立して機能し得るように、脚ストラップ２４０の間に、裂け目または空隙２４１が画定され得る。
【００８２】
また、脚用衣服２００は、体幹用衣服１００と同じような理由で、脚ストラップ２４０との犠牲取り付け部分を含むか、または利用する場合もある。したがって、１つ以上の実施形態では、各脚ストラップ２４０は、図１６に示すように、犠牲取り付け部分２７５を使用して、脚取り付け部位２７７に取り外し可能に結合してもよい。犠牲取り付け部分２７５は、脚取り付け部位２７７で脚用衣服２００に取り外し可能に結合されてもよく、また脚ストラップ２４０に取り外し可能に結合されてもよく、それによって脚取り付け部位２７７を脚ストラップ２４０に結合する。言い換えれば、犠牲取り付け部分２７５は、脚取り付け部位２７７と脚ストラップ２４０との間に配置された中間結合要素であると特徴付けられ得る。１つ以上の実施形態では、犠牲取り付け部分２７５と脚取り付け部位２７７との間の取り外し可能な結合は、犠牲取り付け部分２７５と脚ストラップ２４０との間の取り外し可能な結合よりも強い。このようにして、ユーザが脚ストラップ２４０を把持し、脚ストラップ２４０を脚取り付け部位２７７から遠ざけると、脚ストラップ２４０と犠牲取り付け部分２７５との間の取り外し可能な結合は解放され、一方、脚取り付け部位２７７と犠牲取り付け部分２７５との間の取り外し可能な結合は固定されたままである。したがって、犠牲取り付け部分２７５は、脚ストラップ２４０が犠牲取り付け部分２７７から引き離されている間、脚取り付け部位２７７に取り付けられた状態であり得る。
【００８３】
１つ以上の実施形態では、図１６に示すように、ループ要素２５０と同様の更なるループ要素２５１を、１つ以上の脚ストラップ２４０に結合し、１つ以上の脚ストラップ２４０から延在させてもよい。ループ要素２５１は、脚ストラップ２４０を脚用衣服２００の周りに移動させて結合するために、ユーザによって把持可能なループを画定してもよい。さらに、１つ以上の実施形態では、脚用衣服２００の脚ストラップ２４０のそれぞれは、例えば、患者のための訓練または教育の補助として使用され得る、色、数、テキストなどの識別子２７９（例えば、ユーザが脚用衣服２００を着用する助けとなる）を含んでもよい。図１６に示すように、識別子２７９は、アルファベットの最初からの文字であり、識別子２７９は、着用中にユーザの身体１０の脚１２、１３の周りで、脚用衣服２００の適合、修正、または調整を行うとき、脚ストラップ２４０が調節される順序を示してもよい。
【００８４】
さらに、足部分２１０は、ユーザの足の周りに適切にフィットするように調節可能であってもよい。足部分２１０は、図１２〜図１３では、巻かれていない構成を示す。足部分２１０は、第１の足端領域２１２から第２の足端領域２１４まで延在するものと特徴付けられ得、第１の足端領域及び第２の足端領域２１２、２１４は、互いに取り外し可能に結合されて、ユーザの足を受け入れる（例えば、図１１に示すように）足開口部２１１を画定し得る。より具体的には、第１の足端領域２１２と第２の足端領域２１４との間の取り外し可能な結合は、例えば、フックアンドループ式ファスナなどの任意好適な取り外し可能接続装置を用いて容易にすることができる。例えば、第１の足端領域２１２は、フックアンドループ式ファスナの「フック」部分を含んでもよく、一方、第２の足端領域２１４は、フックアンドループ式ファスナの「ループ」部分を含んでもよい。さらに、足部分２１０は、脚用衣服２００が着用される際に、ユーザの足に面するように構成された内面２１６と、脚用衣服２００が着用される際に、内面２１６の反対側にあり、ユーザの足から離れる方向を向いた外面２１８とを画定し得る。外面２１８は、第２の足端領域２１４が足部分２１０の外面２１８の任意の部分に取り外し可能に結合され得るように構成されてもよく、したがって足部分２１０の外面２１８は、第１の足端領域２１２と第２の足端領域２１４との間のフックアンドループ式の取り外し可能な結合の片割れとして機能してもよい。
【００８５】
足部分２１０は、ユーザの身体１０の脚１２、１３の足根領域２１の周りの装着を容易にするために、脚用衣服２００のふくらはぎ部分２２０に結合されてもよい。より具体的には、足部分２１０及びふくらはぎ部分２２０は、ユーザの脚１２、１３の下腿領域２０から足根領域２１まで、さらにはペダルまたは足領域２２までの自然な解剖学的屈曲に沿うように構成され得る。そのためには、脚用衣服２００は、脚１２、１３の踵を受け入れるように構成された（例えば、図１３〜図１５に示すような）踵要素またはヒールカップ部分２７０を含み得る。踵要素２７０は、脚用衣服２００が着用される際に、ユーザの脚１２、１３の踵に隣接して配置されるように構成される、ふくらはぎ部分２２０から足部分２１０まで延在する材料を含んでもよい。さらに、踵要素２７０は、ユーザが、脚用衣服２００に対して自身の足を配向させるのを支援することができる。踵要素２７０は、ユーザの脚１２、１３の踵を受け入れるために、カップまたは窪みを効果的に画定して、脚用衣服２００の残りの部分、例えば、脚１２、１３の周りの、ふくらはぎ部分２２０及び足部分２１０などを、効果的に配置させるものだと特徴付けてもよい。
【００８６】
より具体的には、図１７の脚用衣服２００の実施形態の平面図に示すように、踵要素２７０は、ふくらはぎ部分２２０と足部分２１０との間に延在する中央部分２７２と、踵要素２７０の左側及び右側を画定する一対のサイドカップ部分（例えば、ユーザの踵が踵要素２７０に近接した状態で、ユーザの踵が脚用衣服２００中に配置されたとき、ユーザの踵のいずれかの側に位置する部分）とを含んでもよい（例えば、踵要素２７０は、中央部分２７２とサイドカップ部分とによって形成されてもよい）。図１７の両側の破線で示されるように、サイドカップ部分のそれぞれは、ふくらはぎ部分２２０の第１のヒールタブ部分２２９を、足部分２１０の第２のヒールタブ部分２１９に結合する（例えば、縫い合わせ、接着など）ことによって作成されまたは形成され得る。そうすることによって、ふくらはぎ部分２２０及び足部分２１０を、「一緒に引っ張って」、中央部分２７２を中心とし、（例えば、第１及び第２のヒールタブ部分２２９、２１９を接合することによって作成された）サイドカップ部分によって左側及び右側に画定されるヒールカップを形成しまたは画定することができる。さらに、踵要素２７０の形成はまた、ユーザの脚のその自然湾曲を更に効果的に適合させるように、足部分２１０が、脚用衣服２００の残りの部分からある角度で延在させるように配置されることをもたらし得る。換言すれば、脚用衣服２００は、ユーザのふくらはぎから足または足首の領域までの湾曲を含む、ユーザの脚のその自然湾曲を模倣する管を画定し得る。
【００８７】
脚用衣服２００は、足根領域２１に近接し、より具体的には、脚用衣服２００が脚１２の周りに着用される際に、脚１２の踵に近接し、足部分２１０及びふくらはぎ部分２２０の一方または両方に結合され、そこから延在するストラップ要素２８０をさらに含んでもよい。ストラップ要素２８０は、ユーザの右脚１３の足の一部を受け入れるように構成され得るループを形成してもよく、右脚１３は、脚用衣服２００をユーザの左脚１２から取り外す際に、脚用衣服２００によって受け入れらておらず、または着用されていない。例えば、ユーザは、自分の反対側の脚を使用して、脚用衣服２００から脚を取り外しながら、脚用衣服２００を「押して取り外す」か、またはしっかりと保持することができる。例えば、ユーザは、立ち、ストラップ要素２８０によって作成されたループを通して反対側の足の一部を置き、次に、脚を脚用衣服２００の脚開口部２０９から引き出すことができる。
【００８８】
本明細書に記載される衣服のいずれかを提供する際に使用され得る、１つ以上のチャンバまたはセル８０１を含む例示的な衣服の部分８００の断面を、図１８Ａに示す。衣服部分８００は、衣服部分８００を着用する際に、例えば、ユーザから離れて外部に面するように構成される外面８０２と、例えば衣服部分８００を着用するユーザに向かって内部に面するように構成される反対側の内面８０３とを画定し得る。内面８０３は、衣服部分８００が身体上に配置されたときに、外面８０２よりも人体の近くに配置されるように構成され得る。図示のように、衣服部分８００は、構成された、圧力印加領域に対応する複数のチャンバを画定する。チャンバ８０１のそれぞれは、チャンバの容積８０５を他のチャンバ８０１の容積から分離する任意の方法で分離され得る容積８０５を画定する。例えば、チャンバ８０１の容積８０５は、本明細書でさらに説明するように、溶接部８１５、例えば、衣服部分８００の１つ以上の層の間の溶接部によって分離されてもよい。チャンバ８０１によって、またはそれぞれの中に画定された容積もしくは空洞８０５は、流体を受け入れるように構成され得る。流体は、供給源から（例えば、図１に示すポンプ５３から）受け取られて、衣服部分８００がユーザによって着用されたときに、衣服の圧力印加領域で身体部分に圧力を加え得る。例えば、流体は、順次または非連続的な様式で、チャンバ８０１の容積８０５のそれぞれに導かれてもよい。
【００８９】
さらに、本明細書で説明する様々な圧力印加領域のそれぞれは、例えば、１つ以上のチャンバ８０１のうちの１つ、または複数のチャンバ８０１を含んでもよい。１つ以上の実施形態では、本明細書で説明される種々の圧力印加領域は、例えば、同じ１つ以上のチャンバを含んでもよいが、例えば、衣服上の様々な場所に配置していてもよい。
【００９０】
衣服部分８００は、外面８０２から内面８０３まで１つ以上の層を含み得る。例えば、外装層８０６、または外面８０２を画定する層は、「フックアンドループ」式ファスナを形成しまたは画定する「ループ」面または「ループ」材料に結合するため、外面８０２上に「フック」面を画定するように、１つ以上の布地材料を含んでもよい。本明細書で説明される例示的な衣服部分の外面は、「フックアンドループ」式ファスナで使用するための「フック」面によって、部分的または完全に画定されてもよい。
【００９１】
発泡体層８０７が、外装層８０７に隣接してもよく、次いで、ポリマ層８０８（例えば、ポリウレタン、ポリビニルなど）が、チャンバ８０１の容積８０３に面する発泡体層８０７に隣接して配置されてもよい。衣服部分８００の内側は、外装層の代わりに、発泡体層８０７が、身体１０の部分に隣接して配置されるように構成される布層８０９に隣接し得ることを除いて、外側に類似し得る。
【００９２】
本明細書に記載される衣服のいずれかを提供する際に使用され得る、１つ以上の圧迫領域８５３を含む例示的な衣服の別の部分８５０の断面を、図１８Ｂに示す。衣服部分８５０は、外面８５１及び反対側の内面８５２を画定し得る。内面８５２は、衣服部分８５０が身体上に配置されたときに、外面８５１よりも人体の近くに配置されるように構成され得る。１つ以上の領域８５３は、分離することができ、または互いに分離する必要がない場合がある。一実施形態では、例えば、１つ以上の領域８５３は、溶接部８５５によって分離され得る。
【００９３】
衣服８５０は、１つ以上の層８５４を含んでもよく、１つ以上の層８５４のうちの少なくとも１つは、圧迫層８５７を含む。圧迫層８５７は、圧力を加えるように構成された様々な好適な構成要素を含み得る。例えば、圧力は、空気もしくは空気圧システム、油圧システム、電気機械システム、作動要素（例えば、電気信号を用いて、衣服内の要素、例えば、衣服内の電気的に作動可能な繊維を作動させ、そのような繊維を含むコンパートメントが体の一部に圧力を加えるようにしてもよい）、ケーブル／レース締め付けシステム、または衣服部分８５０を介して身体の一部に圧力を加えるように構成された他の任意のシステムによって、圧迫層を介して印加される。
【００９４】
少なくとも１つの実施形態では、圧迫層８５７は、身体の一部に圧力を加えるように構成された複数の作動要素（例えば、ニチノールなどの作動可能な材料、または他の任意の圧迫デバイス）であってよい。１つ以上の領域８５３のそれぞれの圧迫層８５７は、衣服部分８５０がユーザによって着用される際に、身体部分に圧力を加えることができる。例えば、圧力は、１つ以上の領域８５３のそれぞれによって、１つ以上の領域８５３にわたって順次的または連続的に加えられてもよい。本明細書で説明する様々な圧力印加領域のそれぞれは、例えば、１つ以上の領域８５３のうちの１つ、または複数の１つ以上の領域８５３を含んでもよい。１つ以上の実施形態では、本明細書で説明される種々の圧力印加領域は、例えば、同じ１つ以上の領域を含んでもよいが、例えば、衣服部分８５０上の様々な場所に配置していてもよい。
【００９５】
また、図１８Ｂに記載される衣服部分８５０（これは、本明細書に記載されている圧迫衣服及びその一部のいずれにも使用できる）は、衣服部分８５０によって身体の部分に加えられる圧力を測定するように構成された１つ以上の圧力センサ８６８に結合され得る。圧力センサ８６８は、衣服部分８５０に沿って様々な位置に配置させてよい。例えば、圧力センサ８６８は、衣服部分８５０の長手方向に沿って（例えば、等距離離れて、または必要に応じて）配置されてもよい。圧力センサ８６８は、衣服部分８５０の１つ以上の圧力印加領域または複数層８５４に隣接して配置されてもよい。
【００９６】
例えば、材料の１つの層は、１つ以上の圧力印加領域に対応する、及び／または１つ以上のチャンバ８０１、８５３に対応する、圧力感知領域を含む圧力センサ８６８を取り囲んでもよい。１つ以上の実施形態では、圧力センサ８６８は、身体の一部に近接することができる衣服部分８００、８５０の側（例えば、内面８０２、８５２など）に配置され得る。圧力センサ８６８は、例えば、各圧力印加領域、１つ以上のチャンバ８０１、８５３のそれぞれ、複数のチャンバ用のマニホールドなどで圧力を感知するように配置させてもよい。
【００９７】
圧力センサ装置は、例えば、各圧力印加領域、各空気セルまたはチャンバ、複数のチャンバ用のマニホールドなどで、複数の異なる方法で圧力を感知するために実装されてもよい。圧力センサ装置は、例えば、各圧力印加領域に対して１つのセンサ、全ての圧力印加領域に対して単一のセンサなど、様々な異なる方法で圧力を測定するように構成することができる。さらに、コントローラは、測定された圧力に基づいて、身体の一部に加えられる圧力を制御するように構成されてもよい。例えば、圧力感知装置は、「Ｅｌａｓｔｏｍｅｒｉｃ  Ｐａｒｔｉｃｌｅ  Ｈａｖｉｎｇ  Ａｎ  Ｅｌｅｃｔｒｉｃａｌｌｙ  Ｃｏｎｄｕｃｔｉｎｇ  Ｓｕｒｆａｃｅ，Ａ  Ｐｒｅｓｓｕｒｅ  Ｓｅｎｓｏｒ  Ｃｏｍｐｒｉｓｉｎｇ  Ｓａｉｄ  Ｐａｒｔｉｃｌｅｓ，Ａ  Ｍｅｔｈｏｄ  Ｆｏｒ  Ｐｒｏｄｕｃｉｎｇ  Ｓａｉｄ  Ｓｅｎｓｏｒ  Ａｎｄ  Ａ  Ｓｅｎｓｏｒ  Ｓｙｓｔｅｍ  Ｃｏｍｐｒｉｓｉｎｇ  Ｓａｉｄ  Ｓｅｎｓｏｒｓ」と題する米国特許第９，０２７，４０８号に記載されているように、衣服内の圧力センサを使用する形をとってもよく、またはポンプもしくは制御装置には、「Ｐｒｅｓｓｕｒｉｚｅｄ  Ｍｅｄｉｃａｌ  Ｄｅｖｉｃｅ」と題する米国特許第７，９４７，００３号に記載されているような圧力感知機能（例えば、ポンプ装置の一部としてのチャンバ内の空気の圧力の測定）が備わっていてもよい。これらの米国特許は全て、参照により本明細書に組み込まれる。
【００９８】
別段の記載がない限り、本明細書及び特許請求の範囲で使用される特徴の大きさ、量、及び物理的特性を表す全ての数値は、全ての場合において  「約」という用語によって修正されているものとして理解される。したがって、反対に示されない限り、前述の明細書及び添付の特許請求の範囲に示される数値パラメータは、本明細書に開示される教示を利用する当業者によって得られることが求められる所望の特性に応じて変化し得る近似値である。端点による数値範囲の使用には、その範囲内の全ての数値（例えば、１〜５には１、１．５、２、２．７５、３、３．８０、４、５が含まれる）と、その範囲内の任意の範囲とが含まれる。
【００９９】
開示された実施例に記載される特定の材料及び寸法、ならびに他の条件及び詳細は、本開示を不当に制限するものと解釈されるべきではない。主題は、構造的特徴及び／または方法的行為に固有の言語で記載されてきたが、添付の特許請求の範囲に定義された主題は、必ずしも上記の特定の特徴または行為に限定されないことが理解されよう。むしろ、上に述べた具体的な特徴及び行為は、特許請求の範囲を実施するための代表的な形態として開示されている。
【図１】
2021502496.tif 000003
【図２】
2021502496.tif 000004
【図３】
2021502496.tif 000005
【図４】
2021502496.tif 000006
【図５】
2021502496.tif 000007
【図６】
2021502496.tif 000008
【図７Ａ】
2021502496.tif 000009
【図７Ｂ】
2021502496.tif 000010
【図８】
2021502496.tif 000011
【図９】
2021502496.tif 000012
【図１０】
2021502496.tif 000013
【図１１】
2021502496.tif 000014
【図１２】
2021502496.tif 000015
【図１３】
2021502496.tif 000016
【図１４】
2021502496.tif 000017
【図１５】
2021502496.tif 000018
【図１６】
2021502496.tif 000019
【図１７】
2021502496.tif 000020
【図１８Ａ】
2021502496.tif 000021
【図１８Ｂ】
2021502496.tif 000022
【国際調査報告】
2021502496.tif 000023
2021502496.tif 000024
2021502496.tif 000025